(57)【要約】【課題】受信機の管理者等に対して自動体外式除細動器の状態を報知することが可能になる、火災報知システムを提供すること。【解決手段】火災報知システムは、監視領域における火災を検知して警報を行う火災報知システムであって、受信機と、除細動を行うＡＥＤ４０と、ＡＥＤ４０の状態を判定する検知部５２及び判定部５５ａと、を備え、受信機は、検知部５２及び判定部５５ａの判定結果に基づいて、ＡＥＤ４０の状態を示す状態情報を表示部又は音声出力部に出力させる。【選択図】図３
2016151970.tif 000002
【特許請求の範囲】
【請求項１】
監視領域における火災を検知して警報を行う火災報知システムであって、
受信機と、
除細動を行う自動体外式除細動器と、
前記自動体外式除細動器の状態を判定する判定手段と、を備え、
前記受信機は、
前記判定手段の判定結果に基づいて、前記自動体外式除細動器の状態を示す状態情報を出力手段に出力させる、
火災報知システム。
【請求項２】
前記自動体外式除細動器の状態として、当該自動体外式除細動器の使用状態を含み、
前記受信機は、
前記判定手段によって前記自動体外式除細動器が使用状態であると判定された場合に、当該自動体外式除細動器が使用状態である旨を示す前記状態情報を前記出力手段に出力させる、
請求項１に記載の火災報知システム。
【請求項３】
前記自動体外式除細動器の状態として、当該自動体外式除細動器の故障状態を含み、
前記受信機は、
前記判定手段によって前記自動体外式除細動器が故障状態であると判定された場合に、当該自動体外式除細動器が故障状態である旨を示す前記状態情報を前記出力手段に出力させる、
請求項１又は２に記載の火災報知システム。
【請求項４】
前記判定手段の判定結果に基づいて、前記状態情報を含む信号を前記受信機に送信する送信手段を備え、
前記受信機は、
前記送信手段から前記状態情報を含む信号を受信した場合に、当該状態情報を出力手段に出力させる、
請求項１から３のいずれか一項に記載の火災報知システム。
【請求項５】
前記状態情報を含む信号の送信停止の指示を受け付ける送信停止操作手段を備え、
前記送信手段は、
前記送信停止操作手段を介して前記状態情報を含む信号の送信停止の指示が受け付けられた場合に、当該状態情報を含む信号の送信を停止する、
請求項４に記載の火災報知システム。
【請求項６】
前記受信機は、
当該受信機と通信可能に接続され、前記監視領域内に設けられた火災端末器から火災を報知する火災信号を受信した場合に、当該火災の報知を示す火災情報を含む第１移報信号を当該火災報知システムの外部に直接的又は間接的に送信し、前記判定手段の判定結果に基づいて、前記第１移報信号とは異なる情報を含む第２移報信号であって、前記状態情報と、当該状態情報に対応する措置を要請する旨を示す措置要請情報とを含む第２移報信号を当該火災報知システムの外部に直接的又は間接的に送信する移報信号送信手段を備えた、
請求項１から５のいずれか一項に記載の火災報知システム。
【請求項７】
前記受信機は、
操作入力を受け付ける操作手段を備え、
前記操作手段を介して所定の操作が受け付けられた場合に、前記自動体外式除細動器の位置を特定する位置情報を前記出力手段に出力させる、
請求項１から６のいずれか一項に記載の火災報知システム。
【請求項８】
前記受信機は、
前記送信手段から前記火災信号を受信した場合に、前記位置情報を前記出力手段に出力させる、
請求項６及び７に記載の火災報知システム。
【請求項９】
前記自動体外式除細動器の状態として、当該自動体外式除細動器の使用を必要とする使用必要状態を含み、
前記受信機は、
前記判定手段によって前記自動体外式除細動器が使用必要状態であると判定された場合に、前記位置情報を前記出力手段に出力させる、
請求項７に記載の火災報知システム。
【請求項１０】
前記自動体外式除細動器を点検すべき所定のタイミングが到来したことを判定するタイミング判定手段を備え、
前記受信機は、
前記タイミング判定手段の判定結果に基づいて、前記自動体外式除細動器を点検すべき所定のタイミングが到来した旨を示す点検到来情報を前記出力手段に出力させる、
請求項１から９のいずれか一項に記載の火災報知システム。
【請求項１１】
前記自動体外式除細動器は、
前記受信機から電源線を介して供給される電力にて充電される蓄電手段を備えた、
請求項１から１０のいずれか一項に記載の火災報知システム。
【発明の詳細な説明】
【技術分野】
【０００１】
本発明は、火災報知システムに関する。
【背景技術】
【０００２】
従来、各種の建物には、心臓が正常に拍動できなくなった状態となった人に対して、電気ショックにより心臓を正常なリズムに戻すこと（いわゆる除細動）を行うための自動体外式除細動器（以下、「ＡＥＤ」と称する）が設置されている。このＡＥＤは、様々な態様で建物に設置されており、例えば、建物内に設けられた専用の収納箱に収容されている（例えば、特許文献１参照）。
【先行技術文献】
【特許文献】
【０００３】
【特許文献１】特開２０１０−１９４０３０号公報
【発明の概要】
【発明が解決しようとする課題】
【０００４】
ここで、ＡＥＤを使用したり、又は管理する上で、ＡＥＤの状態に応じて様々な措置が講じられる。例えば、心臓が正常に拍動できなくなった状態となった人に対して救命活動を行うために、ＡＥＤが使用されている状態では、ＡＥＤの使用者以外の第三者（例えば、ＡＥＤの使用者から離れた場所にいる防災センター要員等）が、当該救命活動のサポートを行う等の措置が講じられる。よって、このような措置を迅速に行うために、建物にいる人に対してＡＥＤの状態を報知できる技術が望まれている。しかしながら、上記従来の技術においては、収納箱がＡＥＤを単に収容するものに過ぎず、ＡＥＤの状態を報知することができなかった。よって、建物にいる人が、ＡＥＤの状態を把握できなかったため、ＡＥＤの状態に応じた必要な措置を迅速に取りづらくなるという問題が生じていた。
【０００５】
本発明は、上記に鑑みてなされたものであって、受信機の管理者等に対して自動体外式除細動器の状態を報知することが可能になる、火災報知システムを提供することを目的とする。
【課題を解決するための手段】
【０００６】
上述した課題を解決し、目的を達成するために、請求項１に記載の火災報知システムは、監視領域における火災を検知して警報を行う火災報知システムであって、受信機と、除細動を行う自動体外式除細動器と、前記自動体外式除細動器の状態を判定する判定手段と、を備え、前記受信機は、前記判定手段の判定結果に基づいて、前記自動体外式除細動器の状態を示す状態情報を出力手段に出力させる。
【０００７】
請求項２に記載の火災報知システムは、請求項１に記載の火災報知システムにおいて、前記自動体外式除細動器の状態として、当該自動体外式除細動器の使用状態を含み、前記受信機は、前記判定手段によって前記自動体外式除細動器が使用状態であると判定された場合に、当該自動体外式除細動器が使用状態である旨を示す前記状態情報を前記出力手段に出力させる。
【０００８】
請求項３に記載の火災報知システムは、請求項１又は２に記載の火災報知システムにおいて、前記自動体外式除細動器の状態として、当該自動体外式除細動器の故障状態を含み、前記受信機は、前記判定手段によって前記自動体外式除細動器が故障状態であると判定された場合に、当該自動体外式除細動器が故障状態である旨を示す前記状態情報を前記出力手段に出力させる。
【０００９】
請求項４に記載の火災報知システムは、請求項１から３のいずれか一項の火災報知システムにおいて、前記判定手段の判定結果に基づいて、前記状態情報を含む信号を前記受信機に送信する送信手段を備え、前記受信機は、前記送信手段から前記状態情報を含む信号を受信した場合に、当該状態情報を出力手段に出力させる。
【００１０】
請求項５に記載の火災報知システムは、請求項４に記載の火災報知システムにおいて、前記状態情報を含む信号の送信停止の指示を受け付ける送信停止操作手段を備え、前記送信手段は、前記送信停止操作手段を介して前記状態情報を含む信号の送信停止の指示が受け付けられた場合に、当該状態情報を含む信号の送信を停止する。
【００１１】
請求項６に記載の火災報知システムは、請求項１から５のいずれか一項に記載の火災報知システムにおいて、前記受信機は、当該受信機と通信可能に接続され、前記監視領域内に設けられた火災端末器から火災を報知する火災信号を受信した場合に、当該火災の報知を示す火災情報を含む第１移報信号を当該火災報知システムの外部に直接的又は間接的に送信し、前記判定手段の判定結果に基づいて、前記第１移報信号とは異なる情報を含む第２移報信号であって、前記状態情報と、当該状態情報に対応する措置を要請する旨を示す措置要請情報とを含む第２移報信号を当該火災報知システムの外部に直接的又は間接的に送信する移報信号送信手段を備えた。
【００１２】
請求項７に記載の火災報知システムは、請求項１から６のいずれか一項に記載の火災報知システムにおいて、前記受信機は、操作入力を受け付ける操作手段を備え、前記操作手段を介して所定の操作が受け付けられた場合に、前記自動体外式除細動器の位置を特定する位置情報を前記出力手段に出力させる。
【００１３】
請求項８に記載の火災報知システムは、請求項６及び７に記載の火災報知システムにおいて、前記受信機は、前記送信手段から前記火災信号を受信した場合に、前記位置情報を前記出力手段に出力させる。
【００１４】
請求項９に記載の火災報知システムは、請求項７に記載の火災報知システムにおいて、前記自動体外式除細動器の状態として、当該自動体外式除細動器の使用を必要とする使用必要状態を含み、前記受信機は、前記判定手段によって前記自動体外式除細動器が使用必要状態であると判定された場合に、前記位置情報を前記出力手段に出力させる。
【００１５】
請求項１０に記載の火災報知システムは、請求項１から９のいずれか一項に記載の火災報知システムにおいて、前記自動体外式除細動器を点検すべき所定のタイミングが到来したことを判定するタイミング判定手段を備え、前記受信機は、前記タイミング判定手段の判定結果に基づいて、前記自動体外式除細動器を点検すべき所定のタイミングが到来した旨を示す点検到来情報を前記出力手段に出力させる。
【００１６】
請求項１１に記載の火災報知システムは、請求項１から１０のいずれか一項に記載の火災報知システムにおいて、前記自動体外式除細動器は、前記受信機から電源線を介して供給される電力にて充電される蓄電手段を備えた。
【発明の効果】
【００１７】
請求項１に記載の火災報知システムによれば、受信機が、判定手段の判定結果に基づいて、状態情報を出力手段に出力させるので、受信機の管理者等に対して状態情報を提示できる。よって、受信機の管理者等が、自動体外式除細動器の状態を把握でき、従来技術に比べて自動体外式除細動器の状態に応じた必要な措置を迅速に取ることが可能となる。
【００１８】
請求項２に記載の火災報知システムによれば、受信機が、判定手段によって自動体外式除細動器が使用状態であると判定された場合に、当該自動体外式除細動器が使用状態である旨を示す状態情報を出力手段に出力させるので、受信機の管理者等が監視領域で自動体外式除細動器が使用状態であることを把握することができる。よって、受信機の管理者等が、監視領域にいる人に対して救命活動に参加するように呼びかけたり、心臓が正常に拍動できなくなった状態となった人に対して応急処置を行う等の措置を迅速に取ることができることから、自動体外式除細動器の使用者が当該使用者以外の第三者からのサポートを迅速に受けやすくなる。
【００１９】
請求項３に記載の火災報知システムによれば、受信機が、判定手段によって自動体外式除細動器が故障状態であると判定された場合に、当該自動体外式除細動器が故障状態である旨を示す状態情報を出力手段に出力させるので、受信機の管理者等が、自動体外式除細動器が故障状態であることを把握でき、自動体外式除細動器の点検や修理等を迅速に行うことが可能となる。
【００２０】
請求項４に記載の火災報知システムによれば、受信機が、送信手段から状態情報を含む信号を受信した場合に、当該状態情報を出力手段に出力させるので、受信機と判定手段とを別体に設けた場合でも、状態情報を出力手段に出力でき、当該火災報知システムの設計の自由度を高めることが可能となる。
【００２１】
請求項５に記載の火災報知システムによれば、送信手段が、送信停止操作手段を介して状態情報を含む信号の送信停止の指示が受け付けられた場合に、当該状態情報を含む信号の送信を停止するので、例えば、受信機の管理者等が自動体外式除細動器の点検を行う場合に、状態情報が受信機の出力手段によって出力されることを回避できるため、状態情報が誤って出力されることを防止できる。
【００２２】
請求項６に記載の火災報知システムによれば、受信機が、監視領域内に設けられた火災端末器から火災信号を受信した場合に、第１移報信号を当該火災報知システムの外部に直接的又は間接的に送信し、判定手段の判定結果に基づいて、第２移報信号を当該火災報知システムの外部に直接的又は間接的に送信する移報信号送信手段を備えたので、外部装置の管理者等に対して第１移報信号に含まれる火災情報を提示でき、外部装置の管理者等が監視領域で火災が発生したことを把握することができる。よって、外部装置の管理者等が、消防車の出動を要請したり、近隣住民に対して避難勧告を行う等の措置を迅速に取ることが可能となる。また、外部装置の管理者等に対して第２移報信号に含まれる状態情報や措置要請情報を提示でき、外部装置の管理者等が自動体外式除細動器の状態や、当該状態に応じた必要な措置を要請していることを把握することができる。よって、外部装置の管理者等が、自動体外式除細動器の状態に応じた必要な措置を迅速に取ることが可能となる。
【００２３】
請求項７に記載の火災報知システムによれば、受信機が、操作手段を介して所定の操作が受け付けられた場合に、位置情報を出力手段に出力させるので、受信機の管理者等に対して位置情報を提示できる。よって、例えば、受信機の管理者等が自動体外式除細動器を使用し又は点検する際に、自動体外式除細動器の設置場所を探す手間を低減することが可能となる。
【００２４】
請求項８に記載の火災報知システムによれば、受信機が、送信手段から火災信号を受信した場合に、位置情報を出力手段に出力させるので、火災時において、受信機の管理者等に対して位置情報を提示できることから、受信機の管理者等に対して最適な自動体外式除細動器の設置場所を案内することが可能となる。
【００２５】
請求項９に記載の火災報知システムによれば、受信機が、判定手段によって自動体外式除細動器が使用必要状態であると判定された場合に、位置情報を出力手段に出力させるので、自動体外式除細動器の使用が必要なタイミングで、受信機の管理者等に対して位置情報を提示でき、最適な自動体外式除細動器の設置場所を案内することが可能となる。
【００２６】
請求項１０に記載の火災報知システムによれば、受信機が、送信手段から点検到来情報を含む信号を受信した場合に、当該点検到来情報を出力手段に出力させるので、受信機の管理者等に対して点検到来情報を提示でき、受信機の管理者等が自動体外式除細動器を点検すべきことを把握することができる。よって、受信機の管理者等が、自動体外式除細動器を点検し忘れることを低減でき、自動体外式除細動器の管理を適切に行うことが可能となる。
【００２７】
請求項１１に記載の火災報知システムによれば、自動体外式除細動器が、受信機から電源線を介して供給される電力にて充電される蓄電手段を備えたので、受信機から供給された電力を蓄電手段に充電できるため、自動体外式除細動器の電池交換等を行う手間を省略することが可能となる。
【図面の簡単な説明】
【００２８】
【図１】本発明の実施の形態１に係る火災報知システムの構成を示す概略図である。
【図２】複合報知装置の正面図である。
【図３】複合報知装置の電気的構成を示したブロック図である。
【図４】受信機の電気的構成を示したブロック図である。
【図５】通報装置の電気的構成を示したブロック図である。
【図６】火災報知処理のフローチャートである。
【図７】使用状態報知処理のフローチャートである。
【図８】故障状態報知処理のフローチャートである。
【図９】使用必要状態報知処理のフローチャートである。
【図１０】点検到来報知処理のフローチャートである。
【図１１】実施の形態２に係る火災報知システムの構成を示す概略図である。
【図１２】複合報知装置の電気的構成を示したブロック図である。
【図１３】受信機の電気的構成を示したブロック図である。
【図１４】火災報知処理のフローチャートである。
【発明を実施するための形態】
【００２９】
以下に添付図面を参照して、この発明に係る火災報知システムの実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００３０】
〔I〕実施の形態の基本的概念
まずは、実施の形態の基本的概念について説明する。実施の形態は、概略的に、監視領域における火災を検知して警報を行う火災報知システムに関するものである。この火災報知システムの制御方式は任意であり、例えば、ポーリング／セレクティング方式によって感知器等の端末機器と受信機との相互間で応答制御を行う方式（いわゆるＲ型方式）と、受信機の回線毎に信号線が引き出され、この回線に接続された端末機器の接点の開閉に基づいて受信機が端末機器からの発報を受ける方式（いわゆるＰ型方式）とを含む。なお、実施の形態に係る火災報知システムの設置対象や適用対象は任意であり、例えば、集合住宅、オフィスビル、あるいは商業施設（以下、単に「建物」と称する）に適用することができる。以下、実施の形態１では、火災報知システムが、建物に適用されたＲ型方式のシステムである場合について説明し、実施の形態２では、火災報知システムが、建物に適用されたＰ型方式のシステムである場合について説明する。
【００３１】
〔II〕実施の形態の具体的内容
次に、実施の形態の具体的内容について説明する。
【００３２】
〔実施の形態１〕
まず、実施の形態１に係る火災報知システムについて説明する。この実施の形態１は、火災報知システムの制御方式をＲ型方式とした形態である。
【００３３】
（構成）
まず、実施の形態１に係る火災報知システムの構成について説明する。図１は、本発明の実施の形態１に係る火災報知システムの構成を示す概略図である。この図１に示すように、火災報知システム１は、感知器１０と、複合報知装置２０と、受信機８０と、通報装置９０とを備えて構成されている。また、感知器１０は、建物の天井や壁に配置されていると共に、複合報知装置２０及び受信機８０は、建物の壁に配置されている。このうち、感知器１０及び複合報知装置２０は、法定の設置間隔を満たすように、各階毎に１台又は複数台が配置されている。また、受信機８０及び通報装置９０は、それぞれ建物に１台配置されており、例えば建物の管理人室に設置されている。
【００３４】
また、これら装置の接続形態については、以下に示す通りに設定されている。具体的には、各装置が共通の信号線で接続される方式（いわゆるＲ型方式）が採用されているので、感知器１０、後述する発信機３０、後述するＡＥＤ４０、後述する検知装置５０、及び通報装置９０の各々が、第１配線２を介して受信機８０と接続されている。また、後述する表示装置６０が、第２配線３を介して受信機８０と接続されていると共に、後述する音響装置７０が、第３配線４を介して受信機８０と接続されている。このような接続により、受信機８０と、感知器１０、後述する発信機３０、後述するＡＥＤ４０、後述する検知装置５０、後述する表示装置６０、後述する音響装置７０、及び通報装置９０の各々との相互間で通信を行うことができると共に、受信機８０から感知器１０、後述する発信機３０、後述するＡＥＤ４０、後述する検知装置５０、後述する表示装置６０、後述する音響装置７０、及び通報装置９０の各々に向けて電力を供給することができる（すなわち、第１配線２、第２配線３、及び第３配線４の各々は、信号線として機能すると共に、電源線としても機能する）。
【００３５】
（構成−感知器）
次に、感知器１０の構成について説明する。感知器１０は、火災を報知する火災信号、又は火災からの復旧を報知する火災復旧信号を送信する有線式の火災端末器である。この感知器１０は、センサ部、通信部、及び、制御部を備えて構成されている（いずれも図示省略）。なお、この感知器１０は、例えば公知の有線式感知器等によって構成することができるので、その詳細な説明は省略する。
【００３６】
センサ部は、温度や煙濃度等を検知するための検知手段である。通信部は、第１配線２を介して受信機８０との間で通信する通信手段である。また、この通信部は、例えば、感知器１０が備える公知の記憶部（図示省略）に予め記憶された情報であって、当該感知器１０を一意に識別する感知器識別情報を火災信号又は火災復旧信号に含めて送信する。なお、公知の記憶手段に記憶される、感知器識別情報としては、例えば感知器１０のアドレス番号又はシリアル番号が用いられる（なお、後述する発信機３０の発信機識別情報、後述するＡＥＤ４０のＡＥＤ識別情報についても同様とする）。制御部は、感知器１０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成される（なお、後述する発信機３０の制御部、後述するＡＥＤ４０の制御部４９、後述する検知装置５０の制御部５５、後述する表示装置６０の制御部、後述する音響装置７０の制御部、後述する受信機８０の制御部８７、及び後述する通報装置９０の制御部９４についても同様とする）。なお、この制御部によって実行される処理の詳細については後述する。
【００３７】
（構成−複合報知装置）
次に、複合報知装置２０の構成について説明する。図２は、複合報知装置２０の正面図である。図３は、複合報知装置２０の電気的構成を示したブロック図である。複合報知装置２０は、火災を報知するための機器と人を治療するための機器とを組み合わせた装置である。図２、図３に示すように、この複合報知装置２０は、建物内（すなわち監視領域内）に設けられた筐体２１の内部において、発信機３０と、ＡＥＤ４０と、検知装置５０と、表示装置６０と、音響装置７０とを一体に収容して構成されている。また、この複合報知装置２０を構成する装置の接続形態については任意であるが、実施の形態１においては、図３に示すように、ＡＥＤ４０と検知装置５０とが、無線通信可能に接続されている。このような接続により、ＡＥＤ４０と検知装置５０との相互間で通信を行うことができる。
【００３８】
（構成−複合報知装置−筐体）
筐体２１は、複合報知装置２０の基本構造体であり、発信機３０と、ＡＥＤ４０と、検知装置５０と、表示装置６０と、音響装置７０とを外部から保護する保護手段である。この筐体２１は、例えば金属材料等にて形成された略箱状体である。具体的には、この筐体２１は、一側面（例えば、前面等）を開放した略箱形状のベース部２２ａであって、発信機３０、ＡＥＤ４０、検知装置５０、表示装置６０、及び音響装置７０を収容するベース部２２ａと、このベース部２２ａの上方部分をその開放面側から略覆う上部正面パネル部２２ｂと、このベース部２２ａの下方部分をその開放面側から略覆う下部正面パネル部２２ｃとを備えて構成されており、上部正面パネル部２２ｂ及び下部正面パネル部２２ｃはベース部２２ａに対して嵌合構造や固定具等にて固定されている（あるいは、上部正面パネル部２２ｂ及び下部正面パネル部２２ｃはベース部２２ａに対して一体に形成されてもよい）。
【００３９】
ここで、このベース部２２ａにおいては、当該ベース部２２ａの上方において、発信機３０、検知装置５０、表示装置６０、及び音響装置７０の各々を構成する各部が固定されていると共に、当該ベース部２２ａの下方において、ＡＥＤ４０を構成する各部が固定されている。また、発信機３０、検知装置５０、ＡＥＤ４０、表示装置６０、又は音響装置７０に接続された第１配線２、第２配線３、及び第３配線４が、ベース部２２ａに形成された開口部（図示省略）を介して筐体２１の外部に引き出されている。
【００４０】
また、上部正面パネル部２２ｂには、後述する発信機３０の非常ボタン３１ａを操作するための第１操作口２３ａと、後述する発信機３０の復旧ボタン３１ｂの一部を外部に露出するための第２操作口２３ｂと、後述する音響装置７０の非常ベルから出力された音を、当該筐体２１の外部に放出するための音響孔２３ｃと、後述する表示装置６０の表示灯６１の光を外部に向けて導光するための導光孔２３ｄとが形成されている。また、下部正面パネル部２２ｃには、後述するＡＥＤ４０のＡＥＤ本体部４１を筐体２１内から取り出すための開閉自在な扉部２３ｅが設けられている。また、この扉部２３ｅには、外部からＡＥＤ本体部４１を視認することができるように、透明な樹脂材料にて形成された扉窓部２３ｆが設けられている。
【００４１】
（構成−複合報知装置−発信機）
次に、発信機３０の構成について説明する。発信機３０は、火災信号、火災復旧信号等を送信する有線式の火災端末器である。図３に示すように、この発信機３０は、操作部、通信部、確認表示灯、制御部、及び記憶部を備えて構成されている（いずれも図示省略）。なお、この発信機３０は、例えば公知の有線式発信機等によって構成することができるので、その詳細な説明は省略する。
【００４２】
操作部は、発信機３０に対する操作入力を受け付けるものであり、非常ボタン３１ａと、復旧ボタン３１ｂとを備えている。このうち、非常ボタン３１ａは、火災信号の送信指示を受け付ける操作手段であり、第１操作口２３ａを介して筐体２１の外部に露出されるように配置されている。また、復旧ボタン３１ｂは、非常ボタン３１ａを介して火災信号の送信指示が受け付けられた場合に、機械的操作によって非常ボタン３１ａの状態を火災信号の送信指示を受け付ける前の状態に復旧させるボタンであり、第２操作口２３ｂを介して筐体２１の外部に露出されるように配置されている。通信部は、受信機８０との間で第１配線２を介して通信を行うための通信手段である。確認表示灯は、非常ボタン３１ａが押された旨を表示するものである。この確認表示灯は、例えば、公知のＬＥＤランプ、蛍光ランプ等を用いて構成されており、筐体２１の内部において、筐体２１の外部から当該確認表示灯を視認できる位置（例えば、筐体２１の第１操作口２３ａ近傍の位置等）に配置されている。制御部は、発信機３０の各部を制御する制御手段である。なお、この制御部によって実行される処理の詳細については後述する。記憶部は、発信機３０の動作に必要なプログラム及び各種のデータ（例えば、発信機３０を一意に識別する発信機識別情報等）を記憶する記憶手段である。この記憶部は、書き換え可能な記録媒体を用いて構成され、例えばフラッシュメモリ等の不揮発性記録媒体を用いることができる（なお、後述するＡＥＤ４０の記憶部４０１、後述する検知装置５０の記憶部５６、後述する受信機８０の記憶部８８、及び後述する通報装置９０の記憶部９５についても同様とする）。
【００４３】
（構成−複合報知装置−ＡＥＤ）
次に、ＡＥＤ４０の構成について説明する。ＡＥＤ４０は、上述した除細動を行う医療機器である。図３に示すように、このＡＥＤ４０は、ＡＥＤ本体部４１の内部において、操作部４２（少なくとも一部が露出）、検知部４３、通信部４４、無線通信部４５、電源部４６、表示部４７（少なくとも一部が露出）、撮像部４８、制御部４９、及び記憶部４０１を備えて構成されている。なお、このＡＥＤ４０は、例えば公知のＡＥＤ等によって構成することができるので、その詳細な説明は省略する。
【００４４】
ＡＥＤ本体部４１は、ＡＥＤ４０の基本構造体であり、例えば、公知のＡＥＤ４０の本体部分（具体的には、心臓が正常に拍動できなくなった状態となった人に対して電気ショックを与えるための電極パッドや、当該人の健康状態を計測するための各種センサ（例えば心拍センサ、血圧センサ等）等）と同様に構成されている。また、このＡＥＤ本体部４１には、表示部４７の光を外部に向けて導光するための導光孔（図示省略）が設けられている。
【００４５】
操作部４２は、ＡＥＤ４０に対する操作入力を受け付ける操作手段であり、例えばスイッチやタッチパネル等の公知の操作手段を用いて構成されている（なお、後述する受信機８０の操作部９１、及び後述する通報装置９０の操作部９１についても同様とする）。
【００４６】
検知部４３は、ＡＥＤ４０の状態を検知するための検知手段である。ここで、「ＡＥＤ４０の状態」とは、ある時点におけるＡＥＤ４０の有り様を意味し、例えば、ＡＥＤ４０の使用状態、ＡＥＤ４０の故障状態、ＡＥＤ４０の使用が必要とされている使用必要状態とを含む概念である。この検知部４３は、例えば、ＡＥＤ４０に異常（具体的には、電源異常や機能異常等）が生じている等のＡＥＤ４０の故障状態を検知するための公知の電流センサを用いて構成されている。
【００４７】
通信部４４は、受信機８０との間で第１配線２を介して通信を行うための通信手段である。
【００４８】
無線通信部４５は、図示しない無線アンテナを介して検知装置５０との間で無線にて通信を行うための無線通信手段であり、例えば、公知の移動体無線通信網を用いて通信を行う公知の通信手段等を用いて構成されている（なお、後述する検知装置５０の無線通信部５４についても同様とする）。なお、このＡＥＤ４０に対しては、ＡＥＤ４０と検知装置５０との相互間で通信可能にするために、これらＡＥＤ４０と検知装置５０との相互間における通信を確立する処理（すなわち、ペアリング処理）が後述する火災報知処理、後述する使用状態報知処理、及び後述する点検到来報知処理が行われる前に行われる。
【００４９】
電源部４６は、受信機８０から第１配線２を介して供給される電力を蓄電する蓄電手段であると共に、受信機８０から供給された電力又は当該電源部４６に蓄電された電力を、ＡＥＤ４０の各部に供給する電力供給手段である。
【００５０】
表示部４７は、制御部４９の制御に基づいて各種の情報を表示するものであり、例えば、公知のＬＥＤランプや、公知の液晶ディスプレイの如きフラットパネルディスプレイ等を用いて構成されている（なお、後述する受信機８０の表示部８４についても同様とする）。
【００５１】
撮像部４８は、ＡＥＤ４０の周囲の画像を撮像し、当該撮像した画像を電気信号（すなわち、画像信号）に変換する撮像手段であり、例えばＣＭＯＳイメージセンサやＣＣＤイメージセンサ等の公知の撮像素子、及びレンズやプリズム等の公知の光学系部品を用いて構成されている。
【００５２】
制御部４９は、ＡＥＤ４０の各部を制御する制御手段である。
【００５３】
記憶部４０１は、ＡＥＤ４０の動作に必要なプログラム及び各種のデータを記憶する記憶手段である。
【００５４】
（構成−複合報知装置−検知装置）
次に、検知装置５０の構成について説明する。検知装置５０は、ＡＥＤ４０の状態を検知する装置である。この検知装置５０は、操作部５１、検知部５２、通信部５３（送信手段）、無線通信部５４、制御部５５、及び記憶部５６を備えて構成されている。
【００５５】
操作部５１は、検知装置５０に対する操作入力を受け付けるものであり、送信停止ボタン５１ａを備えている。ここで、送信停止ボタン５１ａは、後述する状態情報を含む信号の送信停止の指示を受け付ける送信停止操作手段であり、筐体２１の内部（例えば、筐体２１の扉部２３ｅ近傍位置等）に配置されている。
【００５６】
検知部５２は、ＡＥＤ４０の状態を検知するための検知手段である。この検知部５２は、上述した３つのＡＥＤ４０の状態のうち、ＡＥＤ４０の使用状態を検知するものであり、例えば、筐体２１の扉部２３ｅの状態を検知する公知の開閉センサ（具体的には、リミットスイッチ、磁気センサ、赤外線センサ等）を用いて構成されている。
【００５７】
通信部５３は、受信機８０との間で第１配線２を介して通信を行うための通信手段である。
【００５８】
無線通信部５４は、図示しない無線アンテナを介してＡＥＤ４０との間で無線にて通信を行うための無線通信手段である。
【００５９】
制御部５５は、検知装置５０の各部を制御する制御手段であり、機能概念的に、判定部５５ａと、画像処理部５５ｂと、タイミング判定部５５ｃとを備えている。ここで、判定部５５ａは、ＡＥＤ４０の状態を判定するものである。画像処理部５５ｂは、上述した３つのＡＥＤ４０の状態のうち、ＡＥＤ４０の使用必要状態を検知するために、ＡＥＤ４０の撮像部４８にて撮像された画像を処理する画像処理手段である。タイミング判定部５５ｃは、ＡＥＤ４０を点検すべき所定のタイミングが到来したことを判定するタイミング判定手段である。なお、上述した「ＡＥＤ４０の検知部４３」と、「検知部５２」と、「判定部５５ａ」と、「画像処理部５５ｂ」とは、特許請求の範囲における「判定手段」に対応する。また、この制御部５５によって実行される処理の詳細については後述する。
【００６０】
記憶部５６は、検知装置５０の動作に必要なプログラム及び各種のデータ（例えば、ＡＥＤ４０を一意に識別するＡＥＤ識別情報等）を記憶する記憶手段である。
【００６１】
（構成−複合報知装置−表示装置）
次に、表示装置６０の構成について説明する。表示装置６０は、火災が発生した旨を表示する装置である。この表示装置６０は、表示灯６１、通信部（図示省略）、及び制御部（図示省略）を備えて構成されている。
【００６２】
表示灯６１は、火災が発生した旨を表示する出力手段であり、例えば公知のＬＥＤランプ、蛍光ランプ等を用いて構成される。通信部は、受信機８０との間で第２配線３を介して通信を行うための通信手段である。制御部は、表示装置６０の各部を制御する制御手段である。
【００６３】
（構成−複合報知装置−音響装置）
次に、音響装置７０の構成について説明する。音響装置７０は、火災が発生した旨を警報音で出力する装置である。この音響装置７０は、非常ベル、通信部、及び制御部を備えて構成されている（いずれも図示省略）。
【００６４】
非常ベルは、火災が発生した旨をベル音（すなわち、警報音）で出力する警報音出力手段であり、例えば、公知のベル等を用いて構成されている。通信部は、受信機８０との間で第３配線４を介して通信を行うための通信手段である。制御部は、音響装置７０の各部を制御する制御手段である。
【００６５】
（構成−受信機）
次に、受信機８０の構成について説明する。図４は、受信機８０の電気的構成を示したブロック図である。受信機８０は、感知器１０、発信機３０、検知装置５０、表示装置６０、音響装置７０、又は通報装置９０から受信された信号に基づいて所定処理を行うものである。図４に示すように、受信機８０は、操作部８１、通信部８２、移報信号送信部８３、表示部８４、音声出力部８５、電力供給部８６、制御部８７、及び記憶部８８を備えて構成されている。なお、この受信機８０は、例えば公知の受信機等によって構成することができるので、その詳細な説明は省略する。
【００６６】
操作部８１は、受信機８０に対する操作入力を受け付ける操作手段である。
【００６７】
通信部８２は、感知器１０、発信機３０、ＡＥＤ４０、検知装置５０、表示装置６０、又は音響装置７０との間で第１配線２、第２配線３、第３配線４のいずれか１つを介して通信を行うための通信手段である。
【００６８】
移報信号送信部８３は、通報装置９０と第１配線２を介して接続されたものであって、後述する第１移報信号や後述する第２移報信号を通報装置９０を介して当該火災報知システム１の外部に送信する移報信号送信手段である。
【００６９】
表示部８４は、制御部８７の制御に基づいて各種の情報を表示する出力手段である。
【００７０】
音声出力部８５は、制御部８７の制御に基づいて各種の情報を音声で出力する出力手段であり、例えばブザーやスピーカ等の公知の音響機器を用いて構成されている。
【００７１】
電力供給部８６は、第１配線２、第２配線３、第３配線４のいずれか１つを介して商用電源から供給された電力を受信機８０の各部、感知器１０、発信機３０、ＡＥＤ４０、検知装置５０、表示装置６０、音響装置７０、及び通報装置９０に供給するための電力供給手段である。
【００７２】
制御部８７は、受信機８０の各部を制御する制御手段である。なお、この制御部８７によって実行される処理の詳細については後述する。
【００７３】
記憶部８８は、受信機８０の動作に必要なプログラム及び各種のデータ（例えば、後述する火災情報、後述する使用状態情報、後述する故障状態情報、後述する位置情報、又は後述する点検到来情報等に関連する音声データ、テキストデータ等）を記憶する記憶手段である。
【００７４】
（構成−通報装置）
次に、通報装置９０の構成について説明する。図５は、通報装置９０の電気的構成を示したブロック図である。通報装置９０は、受信機８０から受信された場合に、所定信号を電話回線（図示省略）を介して火災報知システム１の外部に設置された外部装置（例えば、消防局に設置されているセンタ装置等）に通報するためのものである。図５に示すように、この通報装置９０は、操作部９１、移報信号受信部９２、移報信号送信部９３、制御部９４、及び記憶部９５を備えて構成されている。なお、この通報装置９０は、例えば公知の通報装置等によって構成することができるので、その詳細な説明は省略する。
【００７５】
操作部９１は、通報装置９０に対する操作入力を受け付ける操作手段である。
【００７６】
移報信号受信部９２は、受信機８０から第１配線２を介して後述する第１移報信号や後述する第２移報信号を受信する移報信号受信手段である。
【００７７】
移報信号送信部９３は、外部装置との間で電話回線を介して後述する第１移報信号や後述する第２移報信号、又はこれら信号に関連するデータを送信する移報信号送信手段である。
【００７８】
制御部９４は、通報装置９０の各部を制御する制御手段である。なお、この制御部９４によって実行される処理の詳細については後述する。
【００７９】
記憶部９５は、通報装置９０の動作に必要なプログラム及び各種のデータ（例えば、後述する第１移報信号又は後述する第２移報信号等に関連する音声データ等）を記憶する記憶手段である。
【００８０】
（処理）
次に、このように構成された火災報知システム１によって実行される処理について説明する。この火災報知システム１によって実行される処理は、火災報知処理と、使用状態報知処理と、故障状態報知処理と、使用必要状態報知処理と、点検到来報知処理とに大別される。以下、火災報知処理と、使用状態報知処理と、故障状態報知処理と、使用必要状態報知処理と、点検到来報知処理とのそれぞれについて説明する。
【００８１】
（処理−火災報知処理）
まず、火災報知処理について説明する。図６は、火災報知処理のフローチャートである（以下の各処理の説明ではステップを「Ｓ」と略記する）。火災報知処理は、火災の報知を行う処理である。この火災報知処理においては、概略的には、受信機８０の表示部８４又は音声出力部８５に後述する火災情報を出力させる処理が行われる。また、この火災報知処理を実行するタイミングは任意であるが、実施の形態１においては、感知器１０、発信機３０、受信機８０、及び通報装置９０に電源が投入された後に起動されるものとして説明する。また、この火災報知処理の前提としては、以下に示す通りとなる（なお、使用状態報知処理の前提、故障状態報知処理の前提、使用必要状態報知処理の前提、及び点検到来報知処理の前提についても同様とする）。具体的には、通常時において発信機３０の確認表示灯、及び受信機８０の表示部８４や音声出力部８５は出力停止されているので、これら確認表示灯、表示部８４、及び音声出力部８５が出力停止されているものとする。なお、この火災報知処理については、建物に設置されている各感知器１０又は各発信機３０（以下、「各感知器１０」、「各発信機３０」と称する）と受信機８０との相互間で個別に行われるものとして説明する。
【００８２】
火災報知処理が起動されると、図６に示すように、受信機８０の管理者等及び外部装置の管理者等に対して、火災を報知できるように、各感知器１０（又は各発信機３０）の制御部は、ＳＡ１及びＳＡ２を行うと共に、受信機８０の制御部８７は、ＳＢ１からＳＢ３の処理を行う。
【００８３】
まず、ＳＡ１において、各感知器１０の制御部は、センサ部の検知結果に基づいて火災が検知された否かを判定する。また、各発信機３０の制御部は、非常ボタン３１ａを介して火災信号の送信指示が受け付けられたか否かを判定する。ここで、感知器１０の判定については、例えば、建物で火災が発生した場合に、検知部５２にて検知された温度（又は煙濃度）が閾値を上回ると、火災が検知されたと判定する。また、発信機３０の判定については、例えば、建物で火災が発生した場合に、建物にいる人（例えば、住居者や訪問者等）によって非常ボタン３１ａが押圧されると、上記火災信号の送信指示が受け付けられたと判定する。各感知器１０の制御部は、火災が検知されたと判定されるまで待機し、また各発信機３０の制御部は、非常ボタン３１ａを介して火災信号の送信指示が受け付けられたと判定されるまで待機し（ＳＡ１、Ｎｏ）、そして、各感知器１０の制御部が火災検知されたと判定したり、各発信機３０の制御部が非常ボタン３１ａの操作により火災信号の送信指示が受け付けられたと判定すると（ＳＡ１、Ｙｅｓ）、ＳＡ２に移行する。
【００８４】
ＳＡ２において、ＳＡ１にて火災が検知されたと判定された感知器１０の制御部は、火災を報知する火災信号を通信部及び第１配線２を介して受信機８０に送信する。また、ＳＡ１にて非常ボタン３１ａを介して火災信号の送信指示が受け付けられたと判定された発信機３０の制御部は、火災信号を通信部及び第１配線２を介して受信機８０に送信すると共に、非常ボタン３１ａが押された旨を報知するために、確認表示灯を点灯表示させる。ここで、この火災信号の送信については任意であるが、実施の形態１においては、火災信号を送信した感知器１０（又は発信機３０）を容易に特定することができるように、火災信号に感知器識別情報（又は発信機識別情報）を付加して送信する（なお、後述するＳＡ４の火災復旧信号の送信についても同様とする）。
【００８５】
ＳＢ１において受信機８０の制御部８７は、ＳＡ１にて火災が検知されたと判定された感知器１０（又は、ＳＡ１にて非常ボタン３１ａを介して火災信号の送信指示が受け付けられたと判定された発信機３０）から送信された火災信号を第１配線２及び通信部８２を介して受信したか否かを判定する。そして、受信機８０の制御部８７は、火災信号が受信されるまで待機し（ＳＢ１、Ｎｏ）、火災信号が受信された場合に（ＳＢ１、Ｙｅｓ）、ＳＢ２に移行する。
【００８６】
ＳＢ２において受信機８０の制御部８７は、受信機８０の管理者等に対して火災を報知するために、ＳＢ１にて受信された火災信号に基づいて、火災情報を表示部８４又は音声出力部８５に出力させる。ここで、「火災情報」とは、火災の報知を示す情報である。また、この火災情報の出力については任意であるが、例えば、表示部８４が、点灯表示又は点滅表示したり、音声出力部８５が、受信機８０の記憶部８８に格納されている音声データのうち、火災情報に関連する音声データを出力する。この実施の形態１においては、表示部８４による火災情報の表示として、表示部８４における状態表示領域であって、火災報知システム１を構成する各装置の状態を表示する状態表示領域のうち、ＳＢ１にて受信された火災信号に付加された感知器識別情報（又は発信機識別情報）に対応する感知器１０（又は発信機３０）の状態を表示する領域を点灯表示する。また、音声出力部８５による火災情報の出力として、記憶部８８に格納されている火災情報に関連する音声データのうち、ＳＢ１にて受信された火災信号に付加された感知器識別情報（又は発信機識別情報）に対応する音声データ（例えば、「○○○階の△△△室で火災が発生しました」との定型メッセージを含む音声データ等）を出力する。このような処理により、受信機８０の管理者等が建物で火災が発生したことを把握することができる。よって、受信機８０の管理者等が、建物に設置された消火器具（例えば消火栓等）を用いて消火活動を行う等の措置を迅速に取ることが可能となる。
【００８７】
ＳＢ３において受信機８０の制御部８７は、外部装置の管理者等に対して火災を報知するために、第１移報信号を移報信号送信部８３、第１配線２、通報装置９０、及び電話回線を介して外部装置に送信する。ここで、「第１移報信号」とは、火災情報を含む移報信号である。また、この第１移報信号の送信については、具体的には、まず、受信機８０の制御部８７が、第１移報信号を移報信号送信部８３及び第１配線２を介して通報装置９０に送信し、より具体的には、所定の電圧値（以下、「第１電圧値」と称する）で信号を送信することで、第１移報信号を送信する。次に、通報装置９０の制御部９４が、第１配線２を流れる電圧の電圧値に基づいて、受信機８０から第１移報信号を第１配線２及び移報信号受信部９２を介して受信したか否かを判定し、受信機８０から第１移報信号が受信されたと判定された場合（すなわち、第１配線２を流れる信号の電圧値が第１電圧値である場合）に、記憶部９５に格納されている音声データの中から、当該受信した第１移報信号に関連する音声データ（例えば、「○○○市△△△町×××番地の□□□マンションで火災が発生しました」との定型メッセージを含む音声データ等）を取得する。そして、通報装置９０の制御部９４が、上記取得された第１移報信号に関連する音声データを移報信号送信部９３及び電話回線を介して外部装置に送信する。このような処理により、外部装置の管理者等に対して火災情報を提示できるので、外部装置の管理者等が建物で火災が発生したことを把握することができる。よって、外部装置の管理者等が、消防車の出動を要請したり、近隣住民に対して避難勧告を行う等の措置を迅速に取ることが可能となる。
【００８８】
次に、図６に示すように、受信機８０の表示部８４又は音声出力部８５の出力状態を、火災信号を受信する前の状態に戻すために、ＳＡ２にて火災信号が送信された感知器１０（又は発信機３０）の制御部は、ＳＡ３及びＳＡ４の処理を行うと共に、受信機８０の制御部８７は、ＳＢ４及びＳＢ５の処理を行う。
【００８９】
まず、ＳＡ３において、ＳＡ２にて火災信号が送信された感知器１０の制御部は、センサ部の検知結果に基づいて火災が検知されなくなったか否かを判定する。また、ＳＡ２にて火災信号が送信された発信機３０の制御部は、非常ボタン３１ａが火災信号の送信指示を受け付ける前の状態に復旧されたか否かを判定する。ここで、感知器１０の判定については、例えば、建物で発生した火災が消火された後に、当該建物内の温度（又は煙濃度）が閾値を下回ると、火災が検知されなくなったと判定する。また、発信機３０の判定については、例えば、建物で発生した火災が消火された後に、建物にいる人又は受信機８０の管理者等によって復旧ボタン３１ｂが押圧されると、非常ボタン３１ａが火災信号の送信指示を受け付ける前の状態に復旧されたと判定する。この感知器１０の制御部は、火災が検知されなくなったと判定されるまで待機し、またこの発信機３０の制御部は、非常ボタン３１ａが火災信号の送信指示を受け付ける前の状態に復旧されたと判定されるまで待機し（ＳＡ３、Ｎｏ）、そして、この感知器１０の制御部が火災検知されなくなったと判定したり、この発信機３０の制御部が復旧ボタン３１ｂの操作により火災信号の送信指示を受け付ける前の状態に復旧されたと判定されると（ＳＡ３、Ｙｅｓ）、ＳＡ４に移行する。
【００９０】
ＳＡ４において、ＳＡ３にて火災が検知されなくなったと判定された感知器１０の制御部は、火災が消火されたことを報知する火災復旧信号を通信部及び第１配線２を介して受信機８０に送信する。また、ＳＡ３にて非常ボタン３１ａが火災信号の送信指示を受け付ける前の状態に復旧されたと判定された発信機３０の制御部は、火災復旧信号を通信部及び第１配線２を介して受信機８０に送信すると共に、確認表示灯の出力状態を、発信機３０が火災信号の送信指示を受け付ける前の状態に戻すために、所定時間（例えば、６０ｍｉｎ等）経過後に確認表示灯の点灯表示を停止させる。その後、この感知器１０の制御部（又は、この発信機３０の制御部）は、ＳＡ１に移行し、以降同様に、ＳＡ１からＳＡ４の処理を行う。
【００９１】
ＳＢ４において受信機８０の制御部８７は、ＳＡ３にて火災が検知されなくなったと判定された感知器１０（又は、ＳＡ３にて非常ボタン３１ａが火災信号の送信指示を受け付ける前の状態に復旧されたと判定された発信機３０）から送信された火災復旧信号を第１配線２及び通信部８２を介して受信したか否かを判定する。そして、受信機８０の制御部８７は、火災復旧信号が受信されるまで待機し（ＳＢ４、Ｎｏ）、火災復旧信号が受信された場合に（ＳＢ４、Ｙｅｓ）、ＳＢ５に移行する。
【００９２】
ＳＢ５において受信機８０の制御部８７は、受信機８０の管理者等に対して火災が消火されたことを報知するために、ＳＢ４にて受信された火災復旧信号に基づいて、表示部８４又は音声出力部８５による火災情報の出力を停止させる。ここで、火災情報の出力の停止については任意であるが、実施の形態１においては、表示部８４による火災情報の表示として、表示部８４における上記状態表示領域のうち、ＳＢ１にて受信された火災信号に付加された感知器識別情報（又は発信機識別情報）に対応する感知器１０（又は発信機３０）の状態を表示する領域を点灯表示する場合に、この点灯表示されている領域のうち、ＳＢ４にて受信された火災復旧信号に付加された感知器識別情報（又は発信機識別情報）に対応する感知器１０（又は発信機３０）の状態を表示する領域の点灯表示を停止する。また、音声出力部８５による火災情報の出力として、受信機８０の記憶部８８に格納されている火災情報に関連する音声データのうち、ＳＢ１にて受信された火災信号に付加された感知器識別情報（又は発信機識別情報）に対応する音声データを出力する場合に、この出力されている音声データのうち、ＳＢ４にて受信された火災復旧信号に付加された感知器識別情報（又は発信機識別情報）に対応する音声データの出力を停止する。その後、受信機８０の制御部８７は、ＳＢ１に移行し、以降同様に、ＳＢ１からＳＢ５の処理を行う。このような処理により、受信機８０の管理者等に対して火災が消火されたことを報知できるので、受信機８０の管理者等が、建物における火災によって損害を受けた箇所を修理する等の措置を迅速に取ることが可能となる。
【００９３】
（処理−使用状態報知処理）
次に、使用状態報知処理について説明する。図７は、使用状態報知処理のフローチャートである。使用状態報知処理は、ＡＥＤ４０が使用状態であることを報知する処理である。この使用状態報知処理においては、概略的には、受信機８０の表示部８４又は音声出力部８５に後述する使用状態情報を出力させる処理が行われる。また、この使用状態報知処理を実行するタイミングは任意であるが、実施の形態１においては、ＡＥＤ４０の一部（具体的には、無線通信部４５及び制御部４９）、検知装置５０、受信機８０、及び通報装置９０に電源が投入された後に起動され、上述した火災報知処理と並行して実行されるものとして説明する。なお、この使用状態報知処理については、建物に設置されている各検知装置５０（以下、「各検知装置５０」と称する）と受信機８０との相互間で個別に行われるものとして説明する（なお、故障状態報知処理、使用必要状態報知処理、及び点検到来報知処理についても同様とする）。
【００９４】
使用状態報知処理が起動されると、図７に示すように、受信機８０の管理者等及び外部装置の管理者等に対して、ＡＥＤ４０が使用状態であることを報知できるように、各検知装置５０の制御部５５は、ＳＣ１からＳＣ４を行うと共に、受信機８０の制御部８７は、ＳＤ１からＳＤ３の処理を行う。
【００９５】
まず、ＳＣ１において各検知装置５０の制御部５５は、当該検知装置５０が収容されている筐体２１の扉部２３ｅが開かれたことが検知部５２にて検知されたか否かを判定する。例えば、建物にいる人又は受信機８０の管理者等によって扉部２３ｅを開く操作が行われることで、扉部２３ｅが開かれた状態になった場合に、扉部２３ｅが開かれたことが検知部５２にて検知されたと判定する。そして、各検知装置５０の制御部５５は、扉部２３ｅが開かれたことが検知部５２にて検知されるまで待機し（ＳＣ１、Ｎｏ）、扉部２３ｅが開かれたことが検知部５２にて検知されると（ＳＣ１、Ｙｅｓ）、ＳＣ２に移行する。
【００９６】
ＳＣ２において、ＳＣ１にて扉部２３ｅが開かれたことが検知されたと判定された検知装置５０の制御部５５は、送信停止ボタン５１ａを介して後述する使用状態信号の送信停止指示が受け付けられたか否かを判定する。例えば、ＳＣ１にて筐体２１の扉部２３ｅが開かれたことが検知されてから所定時間内（例えば、１０ｓｅｃ以内等）に、この送信停止ボタン５１ａが操作されたか否かを判定し、所定時間内にこの送信停止ボタン５１ａが操作された場合には、後述する使用状態信号の送信停止指示が受け付けられたと判定し、所定時間内にこの送信停止ボタン５１ａが操作されなかった場合には、後述する使用状態信号の送信停止指示が受け付けられなかったと判定する。そして、この検知装置５０の制御部５５は、後述する使用状態信号の送信停止指示が受け付けられなかったと判定された場合（ＳＣ２、Ｎｏ）、ＳＣ３に移行する。一方、後述する使用状態信号の送信停止指示が受け付けられたと判定された場合（ＳＣ２、Ｙｅｓ）、受信機８０の表示部８４又は音声出力部８５による後述する使用状態情報の出力を回避するために、ＳＣ１に移行することで、表示部８４又は音声出力部８５による後述する使用状態情報の出力を停止させる。このような処理により、例えば、受信機８０の管理者等がＡＥＤ４０の点検を行う場合に、後述する使用状態情報が受信機８０の表示部８４又は音声出力部８５によって出力されることを回避できるため、ＡＥＤ４０が使用されていないにも関わらず、使用状態情報が誤って出力されることを防止できる。ここで、「点検」とは、ＡＥＤ４０の異常の有無を検査することを意味する。
【００９７】
ＳＣ３において、ＳＣ２にて使用状態信号の送信停止指示が受け付けられなかったと判定された検知装置５０の判定部５５ａは、当該検知装置５０が収容されている筐体２１に収容されたＡＥＤ４０が使用状態であるか否かを判定する。このＡＥＤ４０が使用状態であるか否かの判定については任意であるが、実施の形態１においては、ＳＣ１にてこの筐体２１の扉部２３ｅが開かれたことが検知されてから所定時間内に、このＡＥＤ４０から無線通信部５４を介して当該ＡＥＤ４０が起動した旨を示す起動信号が受信されたか否かに基づいて判定する。また、ＳＣ３における所定時間の設定については任意であるが、実施の形態１においては、ＳＣ２にて送信停止指示が受け付けられるまでの間に、このＡＥＤ４０が使用状態であるか否かが判定されないように、ＳＣ２における所定時間よりも長く設定されている（例えば、１５ｓｅｃ等）。
【００９８】
ここで、この検知装置５０の判定部５５ａは、ＳＣ１にてこの筐体２１の扉部２３ｅが開かれたことが検知されてから所定時間内に、このＡＥＤ４０から無線通信部５４を介して起動信号が受信された場合に、このＡＥＤ４０が使用状態であると判定する。一方、ＳＣ１にて筐体２１の扉部２３ｅが開かれたことが検知されてから所定時間内に、このＡＥＤ４０から無線通信部５４を介して起動信号が受信されていない場合に、このＡＥＤ４０が使用状態でないと判定する。そして、この検知装置５０の判定部５５ａは、このＡＥＤ４０が使用状態でないと判定された場合（ＳＣ３、Ｎｏ）、ＳＣ１に移行し、ＳＣ３にてこのＡＥＤ４０が使用状態であると判定されるまで、ＳＣ１からＳＣ３の処理を繰り返す。一方、このＡＥＤ４０が使用状態であると判定された場合（ＳＣ３、Ｙｅｓ）、ＳＣ４に移行する。
【００９９】
ＳＣ４において、ＳＣ３にてＡＥＤ４０が使用状態であると判定された検知装置５０の制御部５５は、使用状態信号を生成し、当該生成した使用状態信号を通信部５３及び第１配線２を介して受信機８０に送信する。ここで、「使用状態信号」とは、ＡＥＤ４０が使用状態である旨を示す状態情報（以下、「使用状態情報」と称す）を含む信号であり、所定のフォーマットで生成される。また、この使用状態信号の送信については任意であるが、実施の形態１においては、使用状態であるＡＥＤ４０を容易に特定することができるように、この検知装置５０の記憶部５６に格納されたＡＥＤ識別情報であって、当該検知装置５０が収容されている筐体２１に収容されたＡＥＤ４０のＡＥＤ識別情報を使用状態信号に付加して送信する（なお、後述するＳＣ６の不使用状態信号の送信、後述するＳＥ２の故障状態信号の送信、ＳＥ４の故障状態復旧信号の送信、後述するＳＧ４の使用必要状態信号の送信、後述するＳＧ８の使用不要状態信号の送信、後述するＳＩ２の点検到来信号の送信についても同様とする）。
【０１００】
ＳＤ１において受信機８０の制御部８７は、ＳＣ３にてＡＥＤ４０が使用状態であると判定された検知装置５０から送信された使用状態信号を第１配線２及び通信部８２を介して受信したか否かを判定する。そして、受信機８０の制御部８７は、上記使用状態信号が受信されるまで待機し（ＳＤ１、Ｎｏ）、上記使用状態信号が受信された場合に（ＳＤ１、Ｙｅｓ）、ＳＤ２に移行する。
【０１０１】
ＳＤ２において受信機８０の制御部８７は、受信機８０の管理者等に対してＡＥＤ４０が使用状態であることを報知するために、表示部８４又は音声出力部８５によって、上記使用状態信号に含まれる使用状態情報を出力させる。この使用状態情報の出力については任意であるが、例えば、使用状態情報を火災情報と識別可能に出力できるように、表示部８４が、火災情報の表示とは異なる当該表示部８４の領域、時間間隔、又は表示色等で表示したり、音声出力部８５が、受信機８０の記憶部８８に格納されている音声データのうち、火災情報に関連する音声データとは異なる音声データであって、使用状態情報に関連する音声データを出力する。この実施の形態１においては、表示部８４による使用状態情報の表示として、表示部８４における上記状態表示領域のうち、ＳＤ１にて受信された使用状態信号に付加されたＡＥＤ識別情報に対応するＡＥＤ４０の状態を表示する領域を点灯表示する。また、音声出力部８５による使用状態情報の出力として、記憶部８８に格納されている音声データのうち、ＳＤ１にて受信された使用状態信号に関連する音声データ（例えば、「○○○階の□□□に設置されているＡＥＤが使用されています」との定型メッセージを含む音声データ等）を出力する。
【０１０２】
このような処理により、受信機８０の管理者等が、ＡＥＤ４０の状態を把握でき、従来技術に比べてＡＥＤ４０の状態に応じた必要な措置を迅速に取ることが可能となる。特に、使用状態報知処理においては、受信機８０の管理者等が建物でＡＥＤ４０が使用状態であることを把握することができる。よって、受信機８０の管理者等が、建物にいる人に対して救命活動に参加するように呼びかけたり、心臓が正常に拍動できなくなった状態となった人に対して応急処置を行う等の措置を迅速に取ることができることから、ＡＥＤ４０の使用者が当該使用者以外の第三者からのサポートを受けやすくなる。
【０１０３】
なお、上述したように、この使用状態報知処理は、火災報知処理と並行して実行されることから、例えば、火災報知処理のＳＢ２が実行されている場合において、ＳＤ１にて使用状態信号が受信された場合に、ＳＤ２が実行される。すなわち、火災情報の出力と使用状態情報の出力とが重複することが想定される。このような場合には、例えば、受信機８０の管理者等に対して、火災情報及び使用状態情報の両方を提示できるように、受信機８０の制御部８７が、表示部８４によって、火災情報及び使用状態情報を当該表示部８４のそれぞれ対応する領域に同時に表示させると共に、音声出力部８５によって、火災情報と使用状態情報とを所定時間（例えば、２０ｓｅｃ等）毎に交互に出力させてもよい（なお、後述する故障状態報知処理の故障状態情報の出力、後述する使用必要状態報知処理の位置情報の出力、及び後述する点検到来報知処理の点検到来情報の出力についても同様とする）。あるいは、火災報知の確実性や信頼性の観点から、火災情報の出力を優先させるために、火災報知処理のＳＢ４にて火災復旧信号が受信されるまで、受信機８０の制御部８７が、表示部８４によって、火災情報のみを表示させると共に、音声出力部８５によって、火災情報のみを出力させてもよい（なお、後述する故障状態報知処理の故障状態情報の出力、後述する使用必要状態報知処理の位置情報の出力、及び後述する点検到来報知処理の点検到来情報の出力についても同様とする）。
【０１０４】
ＳＤ３において受信機８０の制御部８７は、外部装置の管理者等に対してＡＥＤ４０が使用状態であることを報知するために、第２移報信号を移報信号送信部８３、第１配線２、通報装置９０、及び電話回線を介して外部装置に送信する。ここで、「第２移報信号」とは、受信機８０から受信された状態信号に含まれる状態情報と、措置要請情報とを含む移報信号である。また、この「措置要請情報」とは、状態情報に対応する必要な措置を要請する旨を示す情報を意味し、例えば、使用状態報知処理においては、救援を要請する旨を示す措置要請情報等が該当する。
【０１０５】
また、この第２移報信号の送信については、具体的には、まず、受信機８０の制御部８７が、第２移報信号を移報信号送信部８３及び第１配線２を介して通報装置９０に送信し、より具体的には、第１電圧値とは異なる所定の電圧値（以下、「第２電圧値」と称する）で信号を送信することで、第２移報信号を送信する。次に、通報装置９０の制御部９４が、第１配線２を流れる電圧の電圧値に基づいて、受信機８０から第２移報信号を第１配線２及び移報信号受信部９２を介して受信したか否かを判定し、受信機８０から第２移報信号が受信されたと判定された場合（すなわち、信号の電圧値が第２電圧値である場合）に、記憶部９５に格納されている音声データの中から、当該受信した第２移報信号に関連する音声データ（例えば、「○○○市△△△町×××番地の□□□マンションでＡＥＤが使用されています。救急支援を要請します。」との定型メッセージを含む音声データ等）を取得する。そして、通報装置９０の制御部９４が、上記取得された第２移報信号に関するする音声データを移報信号送信部９３及び電話回線を介して外部装置に送信する。
【０１０６】
このような処理により、外部装置の管理者等に対して使用状態情報及び措置要請情報を提示できるので、外部装置の管理者等が建物でＡＥＤ４０が使用されたことや、救急を要請していることを把握することができる。よって、外部装置の管理者等が、救急車の出動を要請したり、近隣住民に対して救命活動の参加を呼びかける等の措置を迅速に取ることができることから、ＡＥＤ４０の使用者が当該使用者以外の第三者からのサポートを一層受けやすくなる。なお、上述したように、この使用状態報知処理は、火災報知処理と並行して実行されることから、例えば、火災報知処理のＳＢ３とＳＤ３とがほぼ同じタイミングで処理される場合には、火災報知の確実性や信頼性の観点から、第１移報信号を優先的に送信させ、その後第２移報信号を送信させてもよい。
【０１０７】
次に、図７に示すように、受信機８０の表示部８４又は音声出力部８５の出力状態を、使用状態信号を受信する前の状態に戻すために、ＳＣ４にて使用状態信号が送信された検知装置５０の制御部５５は、ＳＣ５及びＳＣ６の処理を行うと共に、受信機８０の制御部８７は、ＳＤ４及びＳＤ５の処理を行う。
【０１０８】
まず、図７に示すように、ＳＣ５において、ＳＣ４にて使用状態信号が送信された検知装置５０の判定部５５ａは、ＡＥＤ４０が不使用状態であるか否かを判定する。このＡＥＤ４０が不使用状態であるか否かの判定については任意であるが、実施の形態１においては、ＳＣ３にてＡＥＤ４０が使用状態であると判定されてから所定時間（例えば、６０ｍｉｎ等）を超えたか否か、及び、ＳＣ３にてＡＥＤ４０が使用状態であると判定されてから、当該検知装置５０が収容されている筐体２１に収容されたＡＥＤ４０から無線通信部５４を介して当該ＡＥＤ４０の駆動が停止した旨を示す停止信号が受信されたか否かに基づいて判定する。このように所定時間の経過を考慮した判定を行う理由としては、単にＡＥＤ４０から停止信号が受信されたか否かのみに基づいて、ＡＥＤ４０が不使用状態であるか否かが判定されると、ＡＥＤ４０の駆動を一旦停止した後に当該ＡＥＤ４０を再び駆動させた場合でも、ＡＥＤ４０が不使用状態であると判定されるので、このような事態を回避するためである。具体的には、この検知装置５０の判定部５５ａは、ＳＣ３にてＡＥＤ４０が使用状態であると判定されてから所定時間を超え、且つ、ＳＣ３にてＡＥＤ４０が使用状態であると判定されてから、このＡＥＤ４０から無線通信部５４を介して停止信号が受信された場合に、ＡＥＤ４０が不使用状態であると判定する。一方、ＳＣ３にてＡＥＤ４０が使用状態であると判定されてから所定時間を超えておらず、又は、ＳＣ３にてＡＥＤ４０が使用状態であると判定されてから、このＡＥＤ４０から無線通信部５４を介して停止信号が受信されていない場合に、ＡＥＤ４０が不使用状態でないと判定する。ただし、これに限られず、例えば、ＳＣ３にてＡＥＤ４０が使用状態であると判定されてから所定時間を超えたか否かのみに基づいて判定したり、又は、ＳＣ３にてＡＥＤ４０が使用状態であると判定されてから、このＡＥＤ４０から無線通信部５４を介して停止信号が受信されたか否かのみに基づいて判定してもよい。そして、この検知装置５０の判定部５５ａは、ＡＥＤ４０が不使用状態でないと判定された場合（ＳＣ５、Ｎｏ）、ＡＥＤ４０が不使用状態であると判定されるまでＳＣ５の処理を繰り返し、ＡＥＤ４０が不使用状態であると判定された場合（ＳＣ５、Ｙｅｓ）、ＳＣ６に移行する。
【０１０９】
ＳＣ６において、ＳＣ５にてＡＥＤ４０が不使用状態であると判定された検知装置５０の制御部５５は、不使用状態信号を生成し、当該生成した不使用状態信号を通信部５３及び第１配線２を介して受信機８０に送信する。ここで、「不使用状態信号」とは、ＡＥＤ４０が不使用状態である旨を示す不使用状態情報を含む信号であり、所定のフォーマットで生成される。その後、この検知装置５０の制御部５５は、ＳＣ１に移行し、以降同様に、ＳＣ１からＳＣ６の処理を行う。
【０１１０】
ＳＤ４において受信機８０の制御部８７は、ＳＣ５にてＡＥＤ４０が不使用状態であると判定された検知装置５０から送信された不使用状態信号を第１配線２及び通信部８２を介して受信したか否かを判定する。そして、受信機８０の制御部８７は、上記不使用状態信号が受信されるまで待機し（ＳＤ４、Ｎｏ）、上記不使用状態信号が受信された場合に（ＳＤ４、Ｙｅｓ）、ＳＤ５に移行する。
【０１１１】
ＳＤ５において受信機８０の制御部８７は、表示部８４又は音声出力部８５による使用状態情報の出力を停止させる。この使用状態情報の出力の停止については任意であるが、実施の形態１においては、表示部８４による使用状態情報の表示として、表示部８４における上記状態表示領域のうち、ＳＤ１にて受信された使用状態信号に付加されたＡＥＤ識別情報に対応するＡＥＤ４０の状態を表示する領域を点灯表示する場合に、この点灯表示されている領域のうち、ＳＤ４にて受信された不使用状態信号に付加されたＡＥＤ識別情報に対応するＡＥＤ４０の状態を表示する領域の点灯表示を停止する（なお、後述する故障状態報知処理における表示部８４による故障状態情報の出力の停止についても同様とする）。また、音声出力部８５による使用状態情報の出力として、受信機８０の記憶部８８に格納されている使用状態情報に関連する音声データのうち、ＳＤ１にて受信された使用状態信号に付加されたＡＥＤ識別情報に対応する音声データを出力する場合に、この出力されている音声データのうち、ＳＤ４にて受信された不使用状態信号に付加されたＡＥＤ識別情報に対応する音声データの出力を停止する（なお、後述する故障状態報知処理における音声出力部８５による故障状態情報の出力の停止についても同様とする）。その後、受信機８０の制御部８７は、ＳＤ１に移行し、以降同様に、ＳＤ１からＳＤ５の処理を行う。このような処理により、受信機８０の管理者等に対してＡＥＤ４０が使用されなくなったことを報知できるので、受信機８０の管理者等が、ＡＥＤ４０が収納されていた筐体２１に戻されているか否かを確認する等の措置を迅速に取ることが可能となる。
【０１１２】
（処理−故障状態報知処理）
次に、故障状態報知処理について説明する。図８は、故障状態報知処理のフローチャートである。故障状態報知処理は、ＡＥＤ４０が故障状態であることを報知する処理である。この故障状態報知処理においては、概略的には、受信機８０の表示部８４又は音声出力部８５に後述する故障状態情報を出力させる処理が行われる。また、この故障状態報知処理を実行するタイミングは任意であるが、実施の形態１では、ＡＥＤ４０の一部（具体的には、検知部４３、無線通信部４５、及び制御部４９）、検知装置５０、及び受信機８０に電源が投入された後に起動され、上述した火災報知処理、及び上述した使用状態報知処理と並行して実行されるものとして説明する。
【０１１３】
故障状態報知処理が起動されると、図８に示すように、受信機８０の管理者等に対して、ＡＥＤ４０が故障状態であることを報知できるように、各検知装置５０の制御部５５は、ＳＥ１及びＳＥ２を行うと共に、受信機８０の制御部８７は、ＳＦ１及びＳＦ２の処理を行う。
【０１１４】
まず、図８に示すように、ＳＥ１において各検知装置５０の判定部５５ａは、当該検知装置５０が収容された筐体２１に収容されているＡＥＤ４０が故障状態であるか否かを判定する。このＡＥＤ４０が故障状態であるか否かの判定については任意であるが、実施の形態１においては、ＡＥＤ４０に異常（例えば、電源異常や機能異常等）が生じていることが検知部４３にて検知された場合に、その旨を示す異常信号をＡＥＤ４０から無線通信部５４を介して受信したか否かに基づいて判定する。ここで、各検知装置５０の判定部５５ａは、異常信号がこのＡＥＤ４０から無線通信部５４を介して受信された場合に、このＡＥＤ４０が故障状態であると判定する。一方、異常信号がこのＡＥＤ４０から無線通信部５４を介して受信されていない場合に、このＡＥＤ４０が故障状態でないと判定する。そして、各検知装置５０の判定部５５ａは、このＡＥＤ４０が故障状態でないと判定された場合（ＳＥ１、Ｎｏ）、このＡＥＤ４０が故障状態であると判定されるまで、ＳＥ１の処理を繰り返し、このＡＥＤ４０が故障状態であると判定された場合（ＳＥ１、Ｙｅｓ）、ＳＥ２に移行する。
【０１１５】
ＳＥ２において、ＳＥ１にてＡＥＤ４０が故障状態であると判定された検知装置５０の制御部５５は、故障状態信号を生成し、当該生成した故障状態信号を通信部５３及び第１配線２を介して受信機８０に送信する（実施の形態１においては、この故障状態信号に検知装置５０の記憶部５６に格納されたＡＥＤ識別情報が付加されたものを送信する）。ここで、「故障状態信号」とは、ＡＥＤ４０が故障状態である旨を示す状態情報（以下、「故障状態情報」と称す）を含む信号であり、所定のフォーマットで生成される。
【０１１６】
ＳＦ１において受信機８０の制御部８７は、ＳＥ１にてＡＥＤ４０が故障状態であると判定された検知装置５０から送信された故障状態信号を第１配線２及び通信部８２を介して受信したか否かを判定する。そして、受信機８０の制御部８７は、上記故障状態信号が受信されるまで待機し（ＳＦ１、Ｎｏ）、上記故障状態信号が受信された場合に（ＳＦ１、Ｙｅｓ）、ＳＦ２に移行する。
【０１１７】
ＳＦ２において受信機８０の制御部８７は、受信機８０の管理者等に対してＡＥＤ４０が故障状態であることを報知するために、表示部８４又は音声出力部８５によって、上記故障状態信号に含まれる故障状態情報を出力させる。この故障状態情報の出力については任意であるが、例えば、故障状態情報を火災情報及び使用状態情報と識別可能に出力できるように、表示部８４が、火災情報及び使用状態情報の表示とは異なる当該表示部８４の領域、時間間隔、又は表示色等で表示したり、音声出力部８５が、受信機８０の記憶部８８に格納されている音声データのうち、火災情報及び使用状態情報に関連する音声データとは異なる音声データであって、故障状態情報に関連する音声データを出力する。この実施の形態１においては、表示部８４による故障状態情報の表示として、表示部８４における上記状態表示領域のうち、ＳＦ１にて受信された故障状態信号に付加されたＡＥＤ識別情報に対応するＡＥＤ４０の状態を表示する領域を所定の時間間隔（例えば、５ｓｅｃ間隔等）で点滅表示する。また、音声出力部８５による故障状態情報の出力として、記憶部８８に格納されている音声データのうち、ＳＦ１にて受信された故障状態信号に関連する音声データ（例えば、「○○○階の□□□に設置されているＡＥＤが故障しています」との定型メッセージを含む音声データ等）を出力する。
【０１１８】
このような処理により、受信機８０の管理者等が、ＡＥＤ４０が故障状態であることを把握でき、ＡＥＤ４０の点検や修理等を迅速に行うことが可能となる。
【０１１９】
次に、図８に示すように、受信機８０の表示部８４又は音声出力部８５の出力状態を、故障状態信号を受信する前の状態に戻すために、ＳＥ２にて故障状態信号が送信された検知装置５０の制御部５５は、ＳＥ３及びＳＥ４の処理を行うと共に、受信機８０の制御部８７は、ＳＦ３及びＳＦ４の処理を行う。
【０１２０】
まず、図８に示すように、ＳＥ３において、ＳＥ２にて故障状態信号が送信された検知装置５０の判定部５５ａは、当該検知装置５０が収容されている筐体２１に収容されたＡＥＤ４０が故障状態から正常状態に復旧したか否かに基づいて判定する。このＡＥＤ４０が復旧したか否かの判定については任意であるが、実施の形態１においては、ＡＥＤ４０に異常が生じていることが検知部４３にて検知されなくなった場合に、その旨を示す異常復旧信号をＡＥＤ４０から無線通信部５４を介して受信したか否かに基づいて判定する。ここで、この検知装置５０の判定部５５ａは、異常復旧信号がこのＡＥＤ４０から無線通信部５４を介して受信された場合に、このＡＥＤ４０が復旧したと判定する。一方、異常復旧信号がこのＡＥＤ４０から無線通信部５４を介して受信されていない場合に、このＡＥＤ４０が復旧していないと判定する。そして、この検知装置５０の判定部５５ａは、このＡＥＤ４０が復旧していないと判定された場合（ＳＥ３、Ｎｏ）、このＡＥＤ４０が復旧したと判定されるまで、ＳＥ３の処理を繰り返し、このＡＥＤ４０が復旧したと判定された場合（ＳＥ３、Ｙｅｓ）、ＳＥ４に移行する。
【０１２１】
ＳＥ４において、ＳＥ３にてＡＥＤ４０が復旧したと判定された検知装置５０の制御部５５は、故障状態復旧信号を生成し、当該生成した故障状態復旧信号を通信部５３及び第１配線２を介して受信機に送信する。ここで、「故障状態復旧信号」とは、ＡＥＤ４０が故障状態から正常状態に復旧した旨を示す故障状態復旧情報を含む信号であり、所定のフォーマットで生成される。その後、この検知装置５０の制御部５５は、ＳＥ１に移行し、以降同様に、ＳＥ１からＳＥ４の処理を行う。
【０１２２】
ＳＦ３において受信機８０の制御部８７は、ＳＥ３にてＡＥＤ４０が復旧したと判定された検知装置５０から送信された故障状態復旧信号を第１配線２及び通信部８２を介して受信したか否かを判定する。そして、受信機８０の制御部８７は、上記故障状態復旧信号が受信されるまで待機し（ＳＦ３、Ｎｏ）、上記故障状態復旧信号が受信された場合に（ＳＦ３、Ｙｅｓ）、ＳＦ４に移行する。
【０１２３】
ＳＦ４において受信機８０の制御部８７は、表示部８４又は音声出力部８５による故障状態情報の出力を停止させる。その後、受信機８０の制御部８７は、ＳＦ１に移行し、以降同様に、ＳＦ１からＳＦ４の処理を行う。
【０１２４】
（処理−使用必要状態報知処理）
使用必要状態報知処理について説明する。図９は、使用必要状態報知処理のフローチャートである。使用必要状態報知処理は、ＡＥＤ４０が使用必要状態であることを報知する処理である。この使用必要状態報知処理においては、概略的には、受信機８０の表示部８４又は音声出力部８５に後述する位置情報を出力させる処理が行われる。また、この使用必要状態報知処理を実行するタイミングは任意であるが、実施の形態１では、ＡＥＤ４０の一部（具体的には、無線通信部４５、撮像部４８、及び制御部４９）、検知装置５０、及び受信機８０に電源が投入された後に起動され、上述した火災報知処理、上述した使用状態報知処理、及び上述した故障状態報知処理と並行して実行されるものとして説明する。
【０１２５】
使用状態報知処理が起動されると、図９に示すように、受信機８０の管理者等に対して、後述する位置情報を提示できるように、各検知装置５０の制御部５５は、ＳＧ１からＳＧ４を行うと共に、受信機８０の制御部８７は、ＳＨ１及びＳＨ２の処理を行う。
【０１２６】
まず、図９に示すように、ＳＧ１において各検知装置５０の制御部５５は、当該検知装置５０が収容された筐体２１に収容されているＡＥＤ４０から無線通信部５４を介して所定のタイミング（例えば、３０ｍｉｎ毎等）で送信される画像信号であって、当該ＡＥＤ４０の撮像部４８にて撮像された画像を含む画像信号を受信した否かを判定する。そして、各検知装置５０の制御部５５は、上記画像信号が受信されるまで待機し（ＳＧ１、Ｎｏ）、上記画像信号が受信された場合に（ＳＧ１、Ｙｅｓ）、ＳＧ２に移行する。
【０１２７】
ＳＧ２において、ＳＧ１にて画像信号が受信された検知装置５０の画像処理部５５ｂは、公知の画像処理手法を用いて、当該画像信号に含まれる画像を処理する。この画像の画像処理については任意であるが、例えば、この画像から所定の輪郭を有する形状を抽出し、当該抽出した形状と、記憶部５６にあらかじめ記憶された人の姿勢を特定するデータとのマッチングを行うことにより、この画像に含まれる人の姿勢を特定する（なお、後述するＳＧ６における画像の画像処理についても同様とする）。
【０１２８】
ＳＧ３において、ＳＧ１にて画像信号が受信された検知装置５０の判定部５５ａは、当該検知装置５０が収容された筐体２１に収容されているＡＥＤ４０が使用必要状態であるか否かを判定する。このＡＥＤ４０が使用必要状態であるか否かの判定については任意であるが、実施の形態１においては、ＳＧ２にて処理された画像に、地面に倒れている人の輪郭を有する形状が存在する否かに基づいて判定する。ここで、この検知装置５０の判定部５５ａは、ＳＧ２にて処理された画像に、地面に倒れている人の輪郭を有する形状が存在する場合に、このＡＥＤ４０が使用必要状態であると判定する。一方、ＳＧ２にて処理された画像に、地面に倒れている人の輪郭を有する形状が存在しない場合に、このＡＥＤ４０が使用必要状態でないと判定する。そして、この検知装置５０の判定部５５ａは、このＡＥＤ４０が使用必要状態でないと判定された場合（ＳＧ３、Ｎｏ）、ＳＧ１に移行し、ＳＧ３にてこのＡＥＤ４０が使用必要状態であると判定されるまで、ＳＧ１からＳＧ３の処理を繰り返す。一方、このＡＥＤ４０が使用必要状態であると判定された場合（ＳＧ３、Ｙｅｓ）、ＳＧ４に移行する。
【０１２９】
ＳＧ４において、ＳＧ３にてＡＥＤ４０が使用必要状態であると判定された検知装置５０の制御部５５は、使用必要状態信号を生成し、当該生成した使用必要状態信号を通信部５３及び第１配線２を介して受信機８０に送信する（実施の形態１においては、この使用必要状態信号に検知装置５０の記憶部５６に格納されたＡＥＤ識別情報が付加されたものを送信する）。ここで、「使用必要状態信号」とは、ＡＥＤ４０が使用必要状態である旨を示す状態情報（以下、「使用必要状態情報」と称す）を含む信号であり、所定のフォーマットで生成される。
【０１３０】
ＳＨ１において受信機８０の制御部８７は、ＳＧ３にてＡＥＤ４０が使用必要状態であると判定された検知装置５０から送信された使用必要状態信号を第１配線２及び通信部８２を介して受信したか否かを判定する。そして、受信機８０の制御部８７は、上記使用必要状態信号が受信されるまで待機し（ＳＨ１、Ｎｏ）、上記使用必要状態信号が受信された場合に（ＳＨ１、Ｙｅｓ）、ＳＨ２に移行する。
【０１３１】
ＳＨ２において受信機８０の制御部８７は、表示部８４又は音声出力部８５によって、位置情報を出力させる。この位置情報の出力については任意であるが、例えば、表示部８４が、受信機８０の記憶部８８に格納されているテキストデータのうち、位置情報に関連するテキストデータを表示する。また、音声出力部８５が、受信機８０の記憶部８８に格納されている音声データのうち、火災情報、使用状態情報、及び故障状態情報に関連する音声データとは異なる音声データであって、位置情報に関連する音声データを出力する。この実施の形態１においては、表示部８４による位置情報の表示として、表示部８４におけるテキストデータを表示する領域に、受信機８０の記憶部８８に格納されている位置情報に関連するテキストデータのうち、ＳＨ１にて受信された使用必要状態信号に付加されたＡＥＤ識別情報に対応するテキストデータ（例えば、「○○○階の□□□付近にＡＥＤが設置されています」との定型メッセージを含むテキストデータ等）を出力する。また、音声出力部８５による位置情報の出力として、記憶部８８に格納されている位置情報に関連する音声データのうち、ＳＨ１にて受信された使用必要状態信号に付加されたＡＥＤ識別情報に対応する音声データ（例えば、「○○○階の□□□付近にＡＥＤが設置されています」との定型メッセージを含む音声データ等）を出力する。
【０１３２】
このような処理により、ＡＥＤ４０の使用が必要なタイミングで、受信機８０の管理者等に対して位置情報を提示でき、最適なＡＥＤ４０の設置場所を案内することが可能となる。
【０１３３】
次に、図９に示すように、受信機８０の表示部８４又は音声出力部８５の出力状態を、使用必要状態信号を受信する前の状態に戻すために、ＳＧ４にて使用必要状態信号が送信された検知装置５０の制御部５５は、ＳＧ５からＳＧ８の処理を行うと共に、受信機８０の制御部８７は、ＳＨ３及びＳＨ４の処理を行う。
【０１３４】
まず、図９に示すように、ＳＧ５において、ＳＧ４にて使用必要状態信号が送信された検知装置５０の制御部５５は、当該検知装置５０が収容された筐体２１に収容されているＡＥＤ４０から無線通信部５４を介して所定のタイミングで送信される画像信号を受信した否かを判定する。そして、この検知装置５０の制御部５５は、上記画像信号が受信されるまで待機し（ＳＧ５、Ｎｏ）、上記画像信号が受信された場合に（ＳＧ５、Ｙｅｓ）、ＳＧ６に移行する。
【０１３５】
ＳＧ６において、ＳＧ５にて画像信号が受信された検知装置５０の画像処理部５５ｂは、公知の画像処理手法を用いて、当該画像信号に含まれる画像を処理する。
【０１３６】
ＳＧ７において、ＳＧ５にて画像信号が受信された検知装置５０の判定部５５ａは、当該検知装置５０が収容された筐体２１に収容されているＡＥＤ４０の使用を必要としない使用不要状態であるか否かを判定する。このＡＥＤ４０が使用不要状態であるか否かの判定については任意であるが、実施の形態１においては、ＳＧ６にて処理された画像に、地面に倒れている人の輪郭を有する形状が存在する否かに基づいて判定する。ここで、この検知装置５０の判定部５５ａは、ＳＧ６にて処理された画像に、地面に倒れている人の輪郭を有する形状が存在する場合に、ＡＥＤ４０が使用不要状態でないと判定する。一方、ＳＧ６にて処理された画像に、地面に倒れている人の輪郭を有する形状が存在しない場合に、ＡＥＤ４０が使用不要状態であると判定する。そして、この検知装置５０の判定部５５ａは、このＡＥＤ４０が使用不要状態でないと判定された場合（ＳＧ７、Ｎｏ）、ＳＧ５に移行し、ＳＧ７にてこのＡＥＤ４０が使用不要状態であると判定されるまで、ＳＧ５からＳＧ７の処理を繰り返す。一方、このＡＥＤ４０が使用不要状態であると判定された場合（ＳＧ７、Ｙｅｓ）、ＳＧ８に移行する。
【０１３７】
ＳＧ８において、ＳＧ７にてＡＥＤ４０が使用必要状態であると判定された検知装置５０の制御部５５は、使用不要状態信号を生成し、当該生成した使用不要状態信号を通信部５３及び第１配線２を介して受信機８０に送信する。ここで、「使用不要状態信号」とは、ＡＥＤ４０が使用不要状態である旨を示す使用不要状態情報を含む信号であり、所定のフォーマットで生成される。その後、この検知装置５０の制御部５５は、ＳＧ１に移行し、以降同様に、ＳＧ１からＳＧ８の処理を行う。
【０１３８】
ＳＨ３において受信機８０の制御部８７は、ＳＧ７にてＡＥＤ４０が使用不要状態であると判定された検知装置５０から送信された使用不要状態信号を第１配線２及び通信部８２を介して受信したか否かを判定する。そして、受信機８０の制御部８７は、上記使用不要状態信号が受信されるまで待機し（ＳＨ３、Ｎｏ）、上記使用不要状態信号が受信された場合に（ＳＨ３、Ｙｅｓ）、ＳＨ４に移行する。
【０１３９】
ＳＨ４において受信機８０の制御部８７は、表示部８４又は音声出力部８５による位置情報の出力を停止させる。この位置情報の出力の停止については任意であるが、実施の形態１においては、表示部８４による位置情報の表示として、表示部８４におけるテキストデータを表示する領域に、受信機８０の記憶部８８に格納されている位置情報に関連するテキストデータのうち、ＳＨ１にて受信された使用必要状態信号に付加されたＡＥＤ識別情報に対応するテキストデータを表示する場合に、この表示されている領域のうち、ＳＨ３にて受信された使用不要状態信号に付加されたＡＥＤ識別情報に対応するテキストデータの表示を停止する。また、音声出力部８５による位置情報の出力として、受信機８０の記憶部８８に格納されている位置情報に関連する音声データのうち、ＳＨ１にて受信された使用必要状態信号に付加されたＡＥＤ識別情報に対応する音声データを出力する場合に、この出力されている音声データのうち、ＳＨ３にて受信された使用不要状態信号に付加されたＡＥＤ識別情報に対応する音声データの出力を停止する。その後、受信機８０の制御部８７は、ＳＨ１に移行し、以降同様に、ＳＨ１からＳＨ４の処理を行う。
【０１４０】
（処理−点検到来報知処理）
次に、点検到来報知処理について説明する。図１０は、点検到来報知処理のフローチャートである。点検到来報知処理は、ＡＥＤ４０を点検すべき所定のタイミングが到来したことを報知する処理である。この点検到来報知処理においては、概略的には、受信機８０の表示部８４又は音声出力部８５に後述する点検到来情報を出力させる処理が行われる。また、この点検到来報知処理を実行するタイミングは任意であるが、実施の形態１においては、検知装置５０及び受信機８０に電源が投入された後に起動され、上述した火災報知処理、上述した使用状態報知処理、上述した故障状態報知処理、及び上述した使用必要状態報知処理と並行して実行されるものとして説明する。
【０１４１】
点検到来報知処理が起動されると、図１０に示すように、ＳＩ１において各検知装置５０のタイミング判定部５５ｃは、ＡＥＤ４０を点検すべき所定のタイミングが到来したか否かを判定する。このＡＥＤ４０を点検すべき所定のタイミングが到来したか否かの判定については任意であるが、実施の形態１においては、所定の時間間隔（例えば、１年間等）が経過した場合に、ＡＥＤ４０を点検すべき所定のタイミングが到来したと判定する。そして、各検知装置５０のタイミング判定部５５ｃが、ＡＥＤ４０を点検すべき所定のタイミングが到来したと判定されるまで待機し（ＳＩ１、Ｎｏ）、ＡＥＤ４０を点検すべき所定のタイミングが到来したと判定されると（ＳＩ１、Ｙｅｓ）、ＳＩ２に移行する。
【０１４２】
ＳＩ２において、ＳＩ１にてＡＥＤ４０を点検すべき所定のタイミングが到来したと判定された検知装置５０の制御部５５は、点検到来信号を生成し、当該生成した点検到来信号を通信部５３及び第１配線２を介して受信機８０に送信する（実施の形態１においては、この点検到来信号に検知装置５０の記憶部５６に格納されたＡＥＤ識別情報が付加されたものを送信する）。ここで、「点検到来信号」とは、ＡＥＤ４０を点検すべき所定のタイミングが到来した旨を示す点検到来情報を含む信号であり、所定のフォーマットで生成される。その後、この検知装置５０の制御部５５は、ＳＩ１に移行し、以降同様に、ＳＩ１及びＳＩ２の処理を行う。
【０１４３】
ＳＪ１において受信機８０の制御部８７は、ＳＩ１にてＡＥＤ４０を点検すべき所定のタイミングが到来したと判定された検知装置５０から送信された点検到来信号を第１配線２及び通信部８２を介して受信したか否かを判定する。そして、受信機８０の制御部８７は、上記点検到来信号が受信されるまで待機し（ＳＪ１、Ｎｏ）、上記点検到来信号が受信された場合に（ＳＪ１、Ｙｅｓ）、ＳＪ２に移行する。
【０１４４】
ＳＪ２において受信機８０の制御部８７は、受信機８０の管理者等に対してＡＥＤ４０を点検すべきであることを報知するために、表示部８４又は音声出力部８５によって、上記点検到来信号に含まれる点検到来報知情報を所定時間（例えば、６０ｍｉｎ等）経過するまで出力させる。この点検到来情報の出力については任意であるが、点検到来情報を火災情報、使用状態情報、故障状態情報、及び位置情報と識別可能に出力できるように、表示部８４が、点検到来情報を火災情報、使用状態情報、故障状態情報、及び位置情報の表示とは異なる当該表示部８４の領域、時間間隔、又は表示色等で表示したり、音声出力部８５が、受信機８０の記憶部８８に格納されている音声データのうち、火災情報、使用状態情報、故障状態情報、及び位置情報に関連する音声データとは異なる音声データであって、点検到来情報に関連する音声データを出力する。この実施の形態１においては、表示部８４による点検到来情報の表示として、表示部８４における上記状態表示領域のうち、ＳＪ１にて受信された点検到来信号に付加されたＡＥＤ識別情報に対応するＡＥＤ４０の状態を表示する領域を所定の時間間隔（例えば、１０ｓｅｃ間隔等）で点滅表示する。また、音声出力部８５による点検到来情報の出力として、記憶部８８に格納されている点検到来情報に関連する音声データのうち、ＳＪ１にて受信された点検到来信号に付加されたＡＥＤ識別情報に対応する音声データ（例えば、「○○○階の△△△付近に設置されているＡＥＤを点検して下さい」との定型メッセージを含む音声データ等）を出力する。その後、受信機８０の制御部８７は、ＳＪ１に移行し、以降同様に、ＳＪ１及びＳＪ２の処理を行う。
【０１４５】
このような処理により、受信機８０の管理者等に対して点検到来情報を提示できるので、受信機８０の管理者等が当該点検到来情報に対応するＡＥＤ４０を点検すべきことを把握することができる。よって、受信機８０の管理者等が、ＡＥＤ４０を点検し忘れることを低減でき、ＡＥＤ４０の管理を適切に行うことが可能となる。
【０１４６】
（効果）
このように実施の形態１によれば、受信機８０が、検知部５２及び判定部５５ａ等の判定結果に基づいて、状態情報を表示部８４又は音声出力部８５に出力させるので、受信機８０の管理者等に対して状態情報を提示できる。よって、受信機８０の管理者等が、ＡＥＤ４０の状態を把握でき、従来技術に比べてＡＥＤ４０の状態に応じた必要な措置を迅速に取ることが可能となる。
【０１４７】
また、受信機８０が、検知部５２及び判定部５５ａによってＡＥＤ４０が使用状態であると判定された場合に、使用状態情報を表示部８４又は音声出力部８５に出力させるので、受信機８０の管理者等が建物でＡＥＤ４０が使用状態であることを把握することができる。よって、受信機８０の管理者等が、建物にいる人に対して救命活動に参加するように呼びかけたり、心臓が正常に拍動できなくなった状態となった人に対して応急処置を行う等の措置を迅速に取ることができることから、ＡＥＤ４０の使用者が当該使用者以外の第三者からのサポートを迅速に受けやすくなる。
【０１４８】
また、受信機８０が、検知部４３及び判定部５５ａによってＡＥＤ４０が故障状態であると判定された場合に、故障状態情報を表示部８４又は音声出力部８５に出力させるので、受信機８０の管理者等が、ＡＥＤ４０が故障状態であることを把握でき、ＡＥＤ４０の点検や修理等を迅速に行うことが可能となる。
【０１４９】
また、受信機８０が、通信部５３から状態情報を含む信号を受信した場合に、当該状態情報を表示部８４又は音声出力部８５に出力させるので、受信機８０と検知部５２及び判定部５５ａ等とを別体に設けた場合でも、状態情報を表示部８４又は音声出力部８５に出力でき、当該火災報知システム１の設計の自由度を高めることが可能となる。
【０１５０】
また、通信部５３が、送信停止ボタン５１ａを介して状態情報を含む信号の送信停止の指示が受け付けられた場合に、状態情報を含む信号の送信を停止するので、例えば、受信機８０の管理者等がＡＥＤ４０の点検を行う場合に、状態情報が受信機の表示部８４又は音声出力部８５によって出力されることを回避できるため、状態情報が誤って出力されることを防止できる。
【０１５１】
また、受信機８０が、建物に設けられた感知器１０又は発信機３０から火災信号を受信した場合に、第１移報信号を当該火災報知システム１の外部に直接的又は間接的に送信し、検知部５２及び判定部５５ａ等の判定結果に基づいて、第２移報信号を当該火災報知システム１の外部に直接的又は間接的に送信する移報信号送信部８３を備えたので、外部装置の管理者等に対して第１移報信号に含まれる火災情報を提示でき、外部装置の管理者等が監視領域で火災が発生したことを把握することができる。よって、外部装置の管理者等が、消防車の出動を要請したり、近隣住民に対して避難勧告を行う等の措置を迅速に取ることが可能となる。また、外部装置の管理者等に対して第２移報信号に含まれる使用状態情報や措置要請情報を提示でき、外部装置の管理者等がＡＥＤ４０の状態や、当該状態に応じた必要措置を要請していることを把握することができる。よって、外部装置の管理者等が、ＡＥＤ４０の状態に応じた必要な措置を迅速に取ることが可能となる。
【０１５２】
また、受信機８０が、判定部５５ａ及び画像処理部５５ｂによってＡＥＤ４０が使用必要状態であると判定された場合に、位置情報を表示部８４又は音声出力部８５に出力させるので、ＡＥＤ４０の使用が必要なタイミングで、受信機８０の管理者等に対して位置情報を提示でき、最適なＡＥＤ４０の設置場所を案内することが可能となる。
【０１５３】
また、受信機８０が、検知装置５０の通信部５３から点検到来信号を受信した場合に、当該点検到来信号に含まれる点検到来情報を表示部８４又は音声出力部８５に出力させるので、受信機８０の管理者等に対して点検到来情報を提示でき、受信機８０の管理者等が当該点検到来情報に対応するＡＥＤ４０を点検すべきことを把握することができる。よって、受信機８０の管理者等が、ＡＥＤ４０を点検し忘れることを低減でき、ＡＥＤ４０の管理を適切に行うことが可能となる。
【０１５４】
また、ＡＥＤ４０が、受信機８０から第１配線２を介して供給される電力にて充電される電源部４６を備えたので、受信機８０から供給された電力を電源部４６に充電できるため、ＡＥＤ４０の電池交換等を行う手間を省略することが可能となる。
【０１５５】
〔実施の形態２〕
次に、実施の形態２に係る火災報知システムについて説明する。この実施の形態２は、火災報知システムの制御方式をＰ型方式とした形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０１５６】
（構成）
最初に、実施の形態２に係る火災報知システムの構成を説明する。図１１は、実施の形態２に係る火災報知システムの構成を示す概略図である。図１２は、複合報知装置の電気的構成を示したブロック図である。図１１、図１２に示すように、火災報知システム１０１は、感知器１０と、複合報知装置２０と、受信機８０と、通報装置９０とを備えて構成されている。
【０１５７】
また、これら装置の接続形態については、以下に示す通りに設定されている。具体的には、受信機８０と感知器１０、発信機３０、及びＡＥＤ４０の各々との相互間の接続については、火災信号等を共通の信号として通信する方式（いわゆるＰ型方式）が採用されているので、建物の各階毎に設置された少なくとも１つ以上の感知器１０、発信機３０、及びＡＥＤ４０が第１配線２を介して受信機８０と接続されている。ここで、第１配線２の構成については、具体的には、３本の信号線を含んで構成されており、より具体的には、第１配線２はＬ線（図示省略）、Ｃ線（図示省略）、Ａ線（図示省略）を含んで構成されている。なお、第１配線２におけるＬ線とＣ線との間、及びＡ線とＣ線との間には、受信機８０から所定の電圧が印加されている。また、これらＬ線及びＣ線の終端、及びＡ線及びＣ線の終端の各々には、図示しない終端器（例えば抵抗器）が接続されている。そして、受信機８０は、電気的にこれら終端器の接続の有無を判断することで（例えば、Ｌ線から終端器を介してＣ線に流れる電流が所定範囲にあるか否かを判断することで）、Ｌ線及びＣ線（又はＡ線及びＣ線）が断線（又は短絡）しているか否かを判定する。
【０１５８】
また、感知器１０及び発信機３０以外の装置と受信機８０との相互間の接続については、表示装置６０が、第２配線３を介して受信機８０と接続されていると共に、音響装置７０が、第３配線４を介して受信機８０と接続されている。また、検知装置５０が、第４配線５を介して受信機８０と接続されていると共に、通報装置９０が、第５配線６を介して受信機８０と接続されている。
【０１５９】
（構成−複合報知装置）
次に、複合報知装置２０の構成について説明する。図１２に示すように、複合報知装置２０は、筐体２１の内部において、発信機３０と、ＡＥＤ４０と、検知装置５０と、表示装置６０と、音響装置７０とを一体に収容して構成されている。
【０１６０】
（構成−複合報知装置−検知装置）
検知装置５０は、操作部５１、検知部５２、通信部５３、無線通信部５４、制御部５５、及び記憶部５６を備えて構成されている。このうち、通信部５３は、受信機８０との間で第４配線５を介して通信を行うものである。
【０１６１】
（構成−受信機）
次に、受信機８０の構成について説明する。図１３は、受信機８０の電気的構成を示したブロック図である。図１３に示すように、受信機８０は、操作部８１、通信部８２、移報信号送信部８３、表示部８４、音声出力部８５、電力供給部８６、制御部８７、及び記憶部８８を備えて構成されている。このうち、通信部８２は、Ｌ−Ｃ入力部８２ａと、Ａ−Ｃ入力部８２ｂとを備えて構成されている。ここで、Ｌ−Ｃ入力部８２ａは、第１配線２のＬ線及びＣ線を介して、感知器１０又は発信機３０から送信された信号を受信機８０に入力するＬ−Ｃ入力手段である。Ａ−Ｃ入力部８２ｂは、第１配線２のＡ線及びＣ線を介して、発信機３０から送信された信号を受信機８０に入力するＡ−Ｃ入力手段である。また、移報信号送信部８３は、通報装置９０と第５配線６を介して接続されており、第１移報信号や第２移報信号を通報装置９０を介して当該火災報知システム１０１の外部に送信するものである。
【０１６２】
（構成−通報装置）
次に、通報装置９０の構成について説明する。通報装置９０は、操作部９１、移報信号受信部９２、移報信号送信部９３、制御部９４、及び記憶部９５を備えて構成されている。このうち、移報信号受信部９２は、受信機８０から第５配線６を介して第１移報信号や第２移報信号を受信するものである。
【０１６３】
（処理）
次に、このように構成された火災報知システム１０１によって実行される火災報知処理、使用状態報知処理、故障状態報知処理、使用必要状態報知処理、及び点検到来報知処理について説明する。
【０１６４】
（処理−火災報知処理）
まず、火災報知処理について説明する。図１４は、火災報知処理のフローチャートである。実施の形態２に係る火災報知処理については、図１４のＳＡ２、ＳＡ４、ＳＢ１からＳＢ５の処理の内容を除いて、図６に示す実施の形態１に係る火災報知処理の各処理と同様であるので、その説明を省略する。
【０１６５】
ＳＡ１の処理後、ＳＡ２において、ＳＡ１にて火災が検知されたと判定された感知器１０の制御部は、火災信号を通信部及び第１配線２を介して受信機８０に送信する。また、ＳＡ１にて非常ボタン３１ａを介して火災信号の送信指示が受け付けられたと判定された発信機３０の制御部は、火災信号を通信部及び第１配線２を介して受信機８０に送信すると共に、確認表示灯を点灯表示させる。ここで、感知器１０における火災信号の送信については任意であるが、実施の形態２においては、通常時において、第１配線２のＡ線、Ｌ線、及びＣ線が断線している場合には、これらＬ線及びＣ線のみが導通するように接続されることで、火災信号を送信する。また、発信機３０における火災信号の送信及び確認表示灯の表示については任意であるが、実施の形態２においては、通常時において、第１配線２のＡ線、Ｌ線、及びＣ線が断線している場合には、これらＬ線及びＣ線が導通するように接続されることで、火災信号を送信し、このＡ線が導通するように接続されることで、確認表示灯を点灯表示する。また、上述したＳＡ２における第１配線２のＡ線、Ｌ線、及びＣ線の接続状態については、ＳＡ２にて火災信号が送信された感知器１０（又は発信機３０）の制御部がＳＡ４に移行するまで継続される（すなわち、ＳＡ４に移行するまで火災信号は継続して送信される）。
【０１６６】
ＳＢ１において、受信機８０の制御部８７は、ＳＡ１にて火災が検知されたと判定された感知器１０から送信された火災信号を第１配線２及び通信部８２のＬ−Ｃ入力部８２ａを介して受信したか否かを判定する。また、ＳＡ１にて非常ボタン３１ａを介して火災信号の送信指示が受け付けられたと判定された発信機３０から送信された火災信号を第１配線２及び通信部８２のＬ−Ｃ入力部８２ａを介して受信したか否かを判定する。
【０１６７】
ＳＢ２において受信機８０の制御部８７は、ＳＢ１にて受信された火災信号に基づいて、火災情報を表示部８４又は音声出力部８５に出力させる。この火災情報の出力については任意であるが、表示部８４の地区表示領域であって、建物の各階を１つの警戒地区とみなしてその状態を表示する地区表示領域のうち、ＳＡ２にて火災信号が送信された感知器１０（又は発信機３０）と接続されている第１配線２に対応する警戒地区の状態を表示する領域を点灯表示する。また、音声出力部８５による火災情報の出力として、受信機８０の記憶部８８に格納されている火災情報に関連する音声データのうち、ＳＡ２にて火災信号が送信された感知器１０（又は発信機３０）と接続されている第１配線２に対応する警戒地区の状態を示す音声データ（例えば、「○○○階で火災が発生しました」との定型メッセージを含む音声データ等）を出力する。
【０１６８】
ＳＢ３において受信機８０の制御部８７は、第１移報信号を移報信号送信部８３、第５配線６、通報装置９０、及び電話回線を介して外部装置に送信する。
【０１６９】
ＳＡ４において、ＳＡ３にて火災が検知されなくなったと判定された感知器１０の制御部（又は、ＳＡ３にて非常ボタン３１ａが火災信号の送信指示を受け付ける前の状態に復旧されたと判定された発信機３０の制御部）は、ＳＡ２の感知器１０（又は発信機３０）の火災信号の送信を行っている状態から当該火災信号の送信を行う前の状態に復旧させる、すなわち、通信部による火災信号の送信を停止させる（なお、発信機３０の場合には、確認表示灯の表示も停止させる）。ここで、感知器１０における火災信号の送信停止については任意であるが、実施の形態２においては、火災信号を送信する場合において、第１配線２のＬ線及びＣ線のみが導通するように接続される場合には、通常時の接続状態となるように、これらＬ線及びＣ線を断線させることにより、火災信号の送信を停止する。また、発信機３０における火災信号の送信停止及び確認表示灯の表示停止については任意であるが、実施の形態２においては、火災信号を送信し、且つ確認表示灯を点灯表示する場合において、第１配線２のＡ線、Ｌ線、及びＣ線が導通するように接続される場合には、通常時の接続状態となるように、これらＡ線、Ｌ線、及びＣ線を断線させることにより、火災信号の送信を停止すると共に、確認表示灯の点灯表示を停止する。
【０１７０】
ＳＢ４において受信機８０の制御部８７は、ＳＡ３にて火災が検知されなくなったと判定された感知器１０（又は、ＳＡ３にて非常ボタン３１ａが火災信号の送信指示を受け付ける前の状態に復旧されたと判定された発信機３０）から送信されている火災信号を第１配線２、及びＬ−Ｃ入力部８２ａを介して継続して受信しているか否かを判定する。そして、受信機８０の制御部８７は、火災信号を継続して受信していると判定された場合（ＳＢ４、Ｙｅｓ）、火災信号を継続して受信していないと判定されるまでＳＢ４の処理を繰り返し、火災信号を継続して受信していないと判定された場合（ＳＢ４、Ｎｏ）、ＳＢ５に移行する。
【０１７１】
ＳＢ５において受信機８０の制御部８７は、ＳＢ４にて受信停止された火災信号に基づいて、表示部８４又は音声出力部８５による火災情報の出力を停止させる。ここで、火災情報の出力の停止については任意であるが、実施の形態２においては、表示部８４による火災情報の表示として、表示部８４における上記地区表示領域のうち、ＳＡ２にて火災信号が送信された感知器１０（又は発信機３０）と接続されている第１配線２に対応する警戒地区の状態を表示する領域を点灯表示する場合に、この点灯表示されている領域のうち、ＳＢ４にて火災信号の受信が停止された感知器１０（又は発信機３０）と接続されている第１配線２に対応する警戒地区の状態を表示する領域の点灯表示を停止する。また、音声出力部８５による火災情報の出力として、受信機８０の記憶部８８に格納されている火災情報に関連する音声データのうち、ＳＡ２にて火災信号が送信された感知器１０（又は発信機３０）と接続されている第１配線２に対応する警戒地区の状態を示す音声データを出力する場合に、この出力されている音声データのうち、ＳＢ４にて火災信号の受信が停止された感知器１０（又は発信機３０）と接続されている第１配線２に対応する警戒地区の状態を示す音声データの出力を停止する。
【０１７２】
（処理−使用状態報知処理）
次に、使用状態報知処理について説明する。実施の形態２に係る使用状態報知処理については、図７のＳＣ４、ＳＣ６、ＳＤ１、ＳＤ３、及びＳＤ４の処理の内容を除いて、実施の形態１に係る使用状態報知処理の各処理と同様であるので、フローチャートの図示及び説明を省略する。
【０１７３】
ＳＣ３の処理後、ＳＣ４において、ＳＣ３にてＡＥＤ４０が使用状態であると判定された検知装置５０の制御部５５は、使用状態信号を通信部５３及び第４配線５を介して受信機８０に送信する。
【０１７４】
ＳＤ１において、受信機８０の制御部８７は、ＳＣ３にてＡＥＤ４０が使用状態であると判定された検知装置５０から送信された使用状態信号を第４配線５及び通信部８２を介して受信したか否かを判定する。
【０１７５】
また、ＳＤ３において受信機８０の制御部８７は、第２移報信号を移報信号送信部８３、第５配線６、通報装置９０、及び電話回線を介して外部装置に送信する。
【０１７６】
また、ＳＣ５の処理後、ＳＣ６において、ＳＣ５にてＡＥＤ４０が不使用状態であると判定された検知装置５０の制御部５５は、不使用状態信号を通信部５３及び第４配線５を介して受信機８０に送信する。
【０１７７】
ＳＤ４において受信機８０の制御部８７は、ＳＣ５にてＡＥＤ４０が不使用状態であると判定された検知装置５０から送信された不使用状態信号を第４配線５及び通信部８２を介して受信したか否かを判定する。
【０１７８】
（処理−故障状態報知処理）
次に、故障状態報知処理について説明する。実施の形態２に係る故障状態報知処理については、図８のＳＥ２、ＳＥ４、ＳＦ１、及びＳＦ３の処理の内容を除いて、実施の形態１に係る故障状態報知処理の各処理と同様であるので、フローチャートの図示及び説明を省略する。
【０１７９】
ＳＥ１の処理後、ＳＥ２において、ＳＥ１にてＡＥＤ４０が故障状態であると判定された検知装置５０の制御部５５は、故障状態信号を通信部５３及び第４配線５を介して受信機８０に送信する。
【０１８０】
ＳＦ１において受信機８０の制御部８７は、ＳＥ１にてＡＥＤ４０が故障状態であると判定された検知装置５０から送信された故障状態信号を第４配線５及び通信部８２を介して受信したか否かを判定する。
【０１８１】
また、ＳＥ３の処理、ＳＥ４において、ＳＥ３にてＡＥＤ４０が復旧したと判定された検知装置５０の制御部５５は、故障状態復旧信号を通信部５３及び第４配線５を介して受信機に送信する。
【０１８２】
ＳＦ３において受信機８０の制御部８７は、ＳＥ３にてＡＥＤ４０が復旧したと判定された検知装置５０から送信された故障状態復旧信号を第４配線５及び通信部８２を介して受信したか否かを判定する。
【０１８３】
（処理−使用必要状態報知処理）
次に、使用必要状態報知処理について説明する。実施の形態２に係る使用必要状態報知処理については、図９のＳＧ４、ＳＧ８、ＳＨ１、及びＳＨ３の処理の内容を除いて、実施の形態１に係る使用必要状態報知処理の各処理と同様であるので、フローチャートの図示及び説明を省略する。
【０１８４】
ＳＧ３の処理後、ＳＧ４において、ＳＧ３にてＡＥＤ４０が使用必要状態であると判定された検知装置５０の制御部５５は、使用必要状態信号を通信部５３及び第４配線５を介して受信機８０に送信する。
【０１８５】
ＳＨ１において受信機８０の制御部８７は、ＳＧ３にてＡＥＤ４０が使用必要状態であると判定された検知装置５０から送信された使用必要状態信号を第４配線５及び通信部８２を介して受信したか否かを判定する。
【０１８６】
また、ＳＧ７の処理後、ＳＧ８において、ＳＧ７にてＡＥＤ４０が使用必要状態であると判定された検知装置５０の制御部５５は、使用不要状態信号を通信部５３及び第４配線５を介して受信機８０に送信する。
【０１８７】
ＳＨ３において受信機８０の制御部８７は、ＳＧ７にてＡＥＤ４０が使用不要状態であると判定された検知装置５０から送信された使用不要状態信号を第４配線５及び通信部８２を介して受信したか否かを判定する。
【０１８８】
（処理−点検到来報知処理）
次に、点検到来報知処理について説明する。実施の形態２に係る点検到来報知処理については、図１０のＳＩ２及びＳＪ１の処理の内容を除いて、実施の形態１に係る点検到来報知処理の各処理と同様であるので、フローチャートの図示及び説明を省略する。
【０１８９】
ＳＩ１の処理後、ＳＩ２において、ＳＩ１にてＡＥＤ４０を点検すべき所定のタイミングが到来したと判定された検知装置５０の制御部５５は、点検到来信号を通信部５３及び第４配線５を介して受信機８０に送信する。
【０１９０】
ＳＪ１において受信機８０の制御部８７は、ＳＩ１にてＡＥＤ４０を点検すべき所定のタイミングが到来したと判定された検知装置５０から送信された点検到来信号を第４配線５及び通信部８２を介して受信したか否かを判定する。
【０１９１】
（効果）
このように実施の形態２によれば、火災報知システム１０１の制御方式がＰ型方式である場合でも、実施の形態１に係る火災報知システム１（すなわち、制御方式がＲ型方式である）である場合と同様に、受信機８０が、検知部５２及び判定部５５ａ等の判定結果に基づいて、状態情報を表示部８４又は音声出力部８５に出力させるので、受信機８０の管理者等に対して状態情報を提示できる。よって、受信機８０の管理者等が、ＡＥＤ４０の状態を把握でき、従来技術に比べてＡＥＤ４０の状態に応じた必要な措置を迅速に取ることが可能となる。
【０１９２】
〔III〕実施の形態に対する変形例
以上、本発明に係る各実施の形態について説明したが、本発明の具体的な構成及び手段は、特許請求の範囲に記載した本発明の技術的思想の範囲内において、任意に改変及び改良することができる。以下、このような変形例について説明する。
【０１９３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。例えば、従来のシステムよりも受信機８０の管理者等に対してＡＥＤ４０の状態を報知することができない場合であっても、従来のシステムと同程度に、ＡＥＤ４０の状態を報知することが従来のシステムとは異なる本願発明のシステムによって達成できている場合には、本願発明の課題が解決されている。
【０１９４】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。例えば、感知器１０、発信機３０、検知装置５０、受信機８０、通報装置９０をそれぞれ複数の装置に分散して構成したり、感知器１０、発信機３０、検知装置５０、受信機８０、通報装置９０の一方の機能の一部を他方に持たせたりしてもよい。また、各部を分散する場合において、これら各部の相互間の連携は、有線と無線のいずれか一方又は両方により行うことができる。
【０１９５】
（実施の形態の相互関係について）
複数の実施の形態が記載されている場合において、これら複数の実施の形態の相互間においては、その構成や処理の一部を相互に入れ替えたり、一方の構成や処理を他方に適用したりしてもよい。
【０１９６】
（形状、数値、構造、時系列について）
各実施の形態や図面において例示した構成要素に関して、形状、数値、又は複数の構成要素の構造若しくは時系列の相互関係については、本発明の技術的思想の範囲内において、任意に改変及び改良することができる。
【０１９７】
（複合報知装置について）
上記実施の形態１、２では、複合報知装置２０は、筐体２１の内部において、発信機３０と、ＡＥＤ４０と、検知装置５０と、表示装置６０と、音響装置７０とを一体に収容して構成されていると説明したが、これに限られない。例えば、これらの装置に加えて、他の機器や設備（例えば消火栓等）を一体に収容して構成されてもよい。
【０１９８】
（通報装置について）
上記実施の形態１、２では、火災報知システムが通報装置９０を備えていると説明したが、これに限られず、例えば、通報装置９０を省略してもよい。ここで、通報装置９０とは別の通信ルートで第１移報信号又は第２移報信号を送信するために、受信機８０と外部装置とを公知のネットワークを介して第１移報信号又は第２移報信号を直接的に送信してもよい。あるいは、第１移報信号及び第２移報信号の送信を取りやめる場合には、火災報知処理のＳＢ３を省略することができると共に、使用状態報知処理のＳＤ３も省略することができる。
【０１９９】
また、上記実施の形態１、２では、通報装置９０における第１移報信号や第２移報信号の送信先である外部装置が、消防局に設置されているセンタ装置であると説明したが、これに限られず、例えば、建物の住居者が携帯する携帯電話であってもよい。これにより、建物の住居者が外出している場合でも、当該建物の住居者に対して火災情報や使用状態情報を提示できるので、当該建物の住居者が当該建物の住居者以外の他の住居者の安否を確認する等の措置を迅速に取ることが可能となる。
【０２００】
（受信機について）
上記実施の形態１、２では、使用必要状態報知処理において、受信機８０が、使用必要状態信号を受信した場合にのみ、表示部８４又は音声出力部８５によって位置情報を出力すると説明したが、これに限られない。例えば、受信機８０が、火災報知処理、使用状態報知処理、故障状態報知処理、又は点検到来報知処理における任意のタイミングで、操作部８１を介して所定の操作が受け付けられた場合に、表示部８４又は音声出力部８５によって位置情報を出力してもよい。ここで、表示部８４による位置情報の表示については、例えば、当該表示部８４におけるテキストデータを表示する領域に、受信機８０の記憶部８８に格納されている位置情報に関連するテキストデータを順次表示する。また、音声出力部８５による位置情報の出力については、例えば、記憶部８８に格納されている位置情報に関連する音声データを順次出力する。このような処理により、受信機８０の管理者等に対して位置情報を提示できる。よって、例えば、受信機８０の管理者等がＡＥＤ４０を使用し又は点検する際に、ＡＥＤ４０の設置場所を探す手間を低減することが可能となる。
【０２０１】
（判定部及び画像処理部について）
上記実施の形態１では、判定部５５ａ及び画像処理部５５ｂが、検知装置５０に設けられていると説明したが、これに限られない。例えば、判定部５５ａ及び画像処理部５５ｂが、検知装置５０に代えて受信機８０に設けられてもよい。
【０２０２】
この場合において、使用状態報知処理においては、ＳＣ３、ＳＣ５、ＳＤ２、ＳＤ３、ＳＤ５の処理が受信機８０の制御部８７によって行われ、ＳＣ１、ＳＣ２、ＳＣ４、ＳＣ６、ＳＤ１、及びＳＤ３を省略することができる。ここで、ＳＣ３におけるＡＥＤ４０が使用状態であるか否かの判定については任意であるが、例えば、受信機８０の判定部５５ａが、受信機８０に設けられた検知部であって、ＡＥＤ４０と受信機８０と通信状態を検知する検知部（図示省略）の検知結果に基づいて判定してもよい（なお、ＳＣ５におけるＡＥＤ４０が復旧したか否かの判定についても同様とする）。具体的には、ＡＥＤ４０を使用するために、ＡＥＤ４０が第１配線２から切り離されることで、検知部によってＡＥＤ４０と受信機８０との相互間の通信ができないと検知された場合、判定部５５ａは、ＡＥＤ４０が使用状態であると判定する。
また、故障状態報知処理においては、ＳＥ１、ＳＥ３、ＳＦ２、ＳＦ４の処理が受信機８０の制御部８７によって行われ、ＳＥ２、ＳＥ４、ＳＦ１、及びＳＦ３を省略することができる。ここで、ＳＥ１におけるＡＥＤ４０が故障状態であるか否かの判定については、例えば、受信機８０の判定部５５ａが、ＡＥＤ４０に異常が生じていることが検知部４３にて検知された場合に、異常信号をＡＥＤ４０から第１配線２及び通信部８２を介して受信したか否かに基づいて判定する。また、ＳＥ３におけるＡＥＤ４０が復旧した否かの判定については、例えば、受信機８０の判定部５５ａが、ＡＥＤ４０に異常が生じていることが検知部４３にて検知されなくなった場合に、異常復旧信号をＡＥＤ４０から第１配線２及び通信部８２を介して受信したか否かに基づいて判定する。
また、使用状態報知処理においては、ＳＧ１からＳＧ３、ＳＧ５からＳＧ７、ＳＨ２、及びＳＨ４が受信機８０の制御部８７によって行われ、ＳＧ４、ＳＧ８、ＳＨ１、及びＳＨ３を省略することができる。ここで、ＳＧ１、ＳＧ５における画像信号の受信については、ＡＥＤ４０から検知装置５０及び第１配線２を介して受信される。
以上のような処理により、判定部５５ａ及び画像処理部５５ｂが、受信機８０に設けられた場合でも、受信機８０の管理者等に対して使用状態情報、故障状態情報、及び位置情報を提示することが可能となる。
【０２０３】
（タイミング判定部について）
上記実施の形態１、２では、タイミング判定部５５ｃが、検知装置５０に設けられていると説明したが、これに限られない。例えば、タイミング判定部５５ｃが、検知装置５０に代えてＡＥＤ４０に設けられてもよい。この場合において、点検到来信号の送信については、具体的には、まず、ＡＥＤ４０の制御部４９が、点検到来信号を無線通信部４５を介して検知装置５０に送信する。次に、検知装置５０の制御部５５が、ＡＥＤ４０から無線通信部５４を介して受信した点検到来信号を第１配線２（又は第４配線５）を介して受信機８０に送信する。これにより、ＡＥＤ４０がタイミング判定部５５ｃを備えた場合でも、点検到来情報を受信機８０の表示部８４又は音声出力部８５に出力することが可能となる。あるいは、単に検知装置５０のタイミング判定部５５ｃを省略するだけでもよい。この場合には、点検到来報知処理も省略することができる。
【０２０４】
（火災報知処理について）
上記実施の形態１、２では、受信機８０の表示部８４又は音声出力部８５による火災情報の出力を自動的に停止できるように、ＳＡ３、ＳＡ４、ＳＢ４、及びＳＢ５の処理が行われると説明したが、これに限られない。例えば、この火災情報の出力停止を受信機８０の操作部８１を介して手動で行う場合には、ＳＡ３、ＳＡ４、ＳＢ４、ＳＢ５の処理を省略してもよい。
【０２０５】
また、上記実施の形態１では、ＳＢ２において受信機８０の制御部８７が、表示部８４又は音声出力部８５によって、単に火災情報を出力させると説明したが、これに限られない。例えば、火災時において、受信機８０の管理者等に対して最適なＡＥＤ４０の設置場所を案内できるように、ＳＢ２において受信機８０の制御部８７が、火災情報に加えて位置情報も出力させてもよい。この位置情報の出力については、具体的には、表示部８４が、ＳＢ１にて受信した火災信号に付加された感知器識別情報（又は発信機識別情報）に基づいて、当該表示部８４におけるテキストデータを表示する領域に、受信機８０の記憶部８８に格納されている位置情報に関連するテキストデータのうち、受信機８０から所定距離以内（例えば２０ｍ以内等）の場所であり、且つ当該火災信号が送信された感知器１０（又は発信機３０）から所定距離以上（例えば２０ｍ以上等）離れた場所に設置されているＡＥＤ４０に対応するテキストデータ（例えば、「△△△階の×××付近にＡＥＤが設置されています」との定型メッセージを含むテキストデータ等）を出力する。また、音声出力部８５が、ＳＢ１にて受信した火災信号に付加された感知器識別情報（又は発信機識別情報）に基づいて、記憶部８８に格納されている位置情報に関連する音声データのうち、受信機８０から所定距離以内の場所であり、且つ当該火災信号が送信された感知器１０（又は発信機３０）から所定距離以上離れた場所に設置されているＡＥＤ４０に対応する音声データ（例えば、「△△△階の×××付近にＡＥＤが設置されています」との定型メッセージを含む音声データ等）を出力する。このような処理により、火災時において、受信機８０の管理者等に対して位置情報を提示できることから、受信機８０の管理者等に対して最適なＡＥＤ４０の設置場所を案内することが可能となる。
【０２０６】
（使用状態報知処理について）
上記実施の形態１、２では、受信機８０の表示部８４又は音声出力部８５による使用状態情報の出力を自動的に停止できるように、ＳＣ５、ＳＣ６、ＳＤ４、及びＳＤ５の処理が行われると説明したが、これに限られない。例えば、この使用状態情報の出力停止を受信機８０の操作部８１を介して手動で行う場合には、ＳＣ５、ＳＣ６、ＳＤ４、及びＳＤ５の処理を省略してもよい。
【０２０７】
また、上記実施の形態１、２は、ＳＣ１及びＳＣ２の処理が行われると説明したが、これに限られず、例えば、ＳＣ１及びＳＣ２の処理を省略してもよい。この場合には、実施の形態１、２では、ＳＣ３において、検知装置５０の判定部５５ａが、検知部５２の検知結果のみに基づいてＡＥＤ４０が使用状態であるか否かを判定し、検知部５２にて筐体２１の扉部２３ｅが開かれたことが検知されていない場合に、ＡＥＤ４０が使用状態でないと判定し、検知部５２にて筐体２１の扉部２３ｅが開かれたことが検知された場合に、ＡＥＤ４０が使用状態であると判定する。
【０２０８】
また、上記実施の形態１、２では、ＳＣ３におけるＡＥＤ４０が使用状態であるか否かの判定については、検知装置５０の制御部５５が、ＳＣ１にて筐体２１の扉部２３ｅが開かれたことが検知されてから所定時間内に、ＡＥＤ４０から無線通信部５４を介して当該ＡＥＤ４０が起動した旨を示す起動信号が受信されたか否かに基づいて判定すると説明したが、これに限られない。例えば、ＳＣ１にて筐体２１の扉部２３ｅが開かれたことが検知されてから所定時間（例えば、１５ｓｅｃ等）を超えたか否かに基づいて判定してもよい。あるいは、上記起動信号が受信されたか否かに基づいて判定した後に、上記所定時間を超えたか否かに基づいて判定してもよい。
【０２０９】
（使用必要状態報知処理について）
上記実施の形態１、２では、撮像部４８にて撮像された画像を用いて、ＡＥＤ４０が使用必要状態（又は使用不要状態）であるか否かを判定すると説明したが、これに限られない。例えば、建物に設けられた公知のセキュリティシステムを構成する監視カメラであり、当該検知装置５０の近傍に設置された監視カメラにて撮像された画像を用いて、ＡＥＤ４０が使用必要状態（又は使用不要状態）であるか否かを判定してもよい。
【０２１０】
（付記）
上述した課題を解決し、目的を達成するために、付記１の火災報知システムは、監視領域における火災を検知して警報を行う火災報知システムであって、受信機と、除細動を行う自動体外式除細動器と、前記自動体外式除細動器の状態を判定する判定手段と、を備え、前記受信機は、前記判定手段の判定結果に基づいて、前記自動体外式除細動器の状態を示す状態情報を出力手段に出力させる。
【０２１１】
付記２の火災報知システムは、付記１に記載の火災報知システムにおいて、前記自動体外式除細動器の状態として、当該自動体外式除細動器の使用状態を含み、前記受信機は、前記判定手段によって前記自動体外式除細動器が使用状態であると判定された場合に、当該自動体外式除細動器が使用状態である旨を示す前記状態情報を前記出力手段に出力させる。
【０２１２】
付記３の火災報知システムは、付記１又は２に記載の火災報知システムにおいて、前記自動体外式除細動器の状態として、当該自動体外式除細動器の故障状態を含み、前記受信機は、前記判定手段によって前記自動体外式除細動器が故障状態であると判定された場合に、当該自動体外式除細動器が故障状態である旨を示す前記状態情報を前記出力手段に出力させる。
【０２１３】
付記４の火災報知システムは、付記１から３のいずれか一項に記載の火災報知システムにおいて、前記判定手段の判定結果に基づいて、前記状態情報を含む信号を前記受信機に送信する送信手段を備え、前記受信機は、前記送信手段から前記状態情報を含む信号を受信した場合に、当該状態情報を出力手段に出力させる。
【０２１４】
付記５の火災報知システムは、付記４に記載の火災報知システムにおいて、前記状態情報を含む信号の送信停止の指示を受け付ける送信停止操作手段を備え、前記送信手段は、前記送信停止操作手段を介して前記状態情報を含む信号の送信停止の指示が受け付けられた場合に、当該状態情報を含む信号の送信を停止する。
【０２１５】
付記６の火災報知システムは、付記１から５のいずれか一項に記載の火災報知システムにおいて、前記受信機は、当該受信機と通信可能に接続され、前記監視領域内に設けられた火災端末器から火災を報知する火災信号を受信した場合に、当該火災の報知を示す火災情報を含む第１移報信号を当該火災報知システムの外部に直接的又は間接的に送信し、前記判定手段の判定結果に基づいて、前記第１移報信号とは異なる情報を含む第２移報信号であって、前記状態情報と、当該状態情報に対応する措置を要請する旨を示す措置要請情報とを含む第２移報信号を当該火災報知システムの外部に直接的又は間接的に送信する移報信号送信手段を備えた。
【０２１６】
付記７の火災報知システムは、付記１から６のいずれか一項に記載の火災報知システムにおいて、前記受信機は、操作入力を受け付ける操作手段を備え、前記操作手段を介して所定の操作が受け付けられた場合に、前記自動体外式除細動器の位置を特定する位置情報を前記出力手段に出力させる。
【０２１７】
付記８の火災報知システムは、付記６及び７に記載の火災報知システムにおいて、前記受信機は、前記送信手段から前記火災信号を受信した場合に、前記位置情報を前記出力手段に出力させる。
【０２１８】
付記９の火災報知システムは、付記７に記載の火災報知システムにおいて、前記自動体外式除細動器の状態として、当該自動体外式除細動器の使用を必要とする使用必要状態を含み、前記受信機は、前記判定手段によって前記自動体外式除細動器が使用必要状態であると判定された場合に、前記位置情報を前記出力手段に出力させる。
【０２１９】
付記１０の火災報知システムは、付記１から９のいずれか一項に記載の火災報知システムにおいて、前記自動体外式除細動器を点検すべき所定のタイミングが到来したことを判定するタイミング判定手段を備え、前記受信機は、前記タイミング判定手段の判定結果に基づいて、前記自動体外式除細動器を点検すべき所定のタイミングが到来した旨を示す点検到来情報を前記出力手段に出力させる。
【０２２０】
付記１１の火災報知システムは、付記１から１０のいずれか一項に記載の火災報知システムにおいて、前記自動体外式除細動器は、前記受信機から電源線を介して供給される電力にて充電される蓄電手段を備えた。
【０２２１】
（付記の効果）
付記１に記載の火災報知システムによれば、受信機が、判定手段の判定結果に基づいて、状態情報を出力手段に出力させるので、受信機の管理者等に対して状態情報を提示できる。よって、受信機の管理者等が、自動体外式除細動器の状態を把握でき、従来技術に比べて自動体外式除細動器の状態に応じた必要な措置を迅速に取ることが可能となる。
【０２２２】
付記２に記載の火災報知システムによれば、受信機が、判定手段によって自動体外式除細動器が使用状態であると判定された場合に、当該自動体外式除細動器が使用状態である旨を示す状態情報を出力手段に出力させるので、受信機の管理者等が監視領域で自動体外式除細動器が使用状態であることを把握することができる。よって、受信機の管理者等が、監視領域にいる人に対して救命活動に参加するように呼びかけたり、心臓が正常に拍動できなくなった状態となった人に対して応急処置を行う等の措置を迅速に取ることができることから、自動体外式除細動器の使用者が当該使用者以外の第三者からのサポートを迅速に受けやすくなる。
【０２２３】
付記３に記載の火災報知システムによれば、受信機が、判定手段によって自動体外式除細動器が故障状態であると判定された場合に、当該自動体外式除細動器が故障状態である旨を示す状態情報を出力手段に出力させるので、受信機の管理者等が、自動体外式除細動器が故障状態であることを把握でき、自動体外式除細動器の点検や修理等を迅速に行うことが可能となる。
【０２２４】
付記４に記載の火災報知システムによれば、受信機が、送信手段から状態情報を含む信号を受信した場合に、当該状態情報を出力手段に出力させるので、受信機と判定手段とを別体に設けた場合でも、状態情報を出力手段に出力でき、当該火災報知システムの設計の自由度を高めることが可能となる。
【０２２５】
付記５に記載の火災報知システムによれば、送信手段が、送信停止操作手段を介して状態情報を含む信号の送信停止の指示が受け付けられた場合に、当該状態情報を含む信号の送信を停止するので、例えば、受信機の管理者等が自動体外式除細動器の点検を行う場合に、状態情報が受信機の出力手段によって出力されることを回避できるため、状態情報が誤って出力されることを防止できる。
【０２２６】
付記６に記載の火災報知システムによれば、受信機が、監視領域内に設けられた火災端末器から火災信号を受信した場合に、第１移報信号を当該火災報知システムの外部に直接的又は間接的に送信し、判定手段の判定結果に基づいて、第２移報信号を当該火災報知システムの外部に直接的又は間接的に送信する移報信号送信手段を備えたので、外部装置の管理者等に対して第１移報信号に含まれる火災情報を提示でき、外部装置の管理者等が監視領域で火災が発生したことを把握することができる。よって、外部装置の管理者等が、消防車の出動を要請したり、近隣住民に対して避難勧告を行う等の措置を迅速に取ることが可能となる。また、外部装置の管理者等に対して第２移報信号に含まれる状態情報や措置要請情報を提示でき、外部装置の管理者等が自動体外式除細動器の状態や、当該状態に応じた必要な措置を要請していることを把握することができる。よって、外部装置の管理者等が、自動体外式除細動器の状態に応じた必要な措置を迅速に取ることが可能となる。
【０２２７】
付記７に記載の火災報知システムによれば、受信機が、操作手段を介して所定の操作が受け付けられた場合に、位置情報を出力手段に出力させるので、受信機の管理者等に対して位置情報を提示できる。よって、例えば、受信機の管理者等が自動体外式除細動器を使用し又は点検する際に、自動体外式除細動器の設置場所を探す手間を低減することが可能となる。
【０２２８】
付記８に記載の火災報知システムによれば、受信機が、送信手段から火災信号を受信した場合に、位置情報を出力手段に出力させるので、火災時において、受信機の管理者等に対して位置情報を提示できることから、受信機の管理者等に対して最適な自動体外式除細動器の設置場所を案内することが可能となる。
【０２２９】
付記９に記載の火災報知システムによれば、受信機が、判定手段によって自動体外式除細動器が使用必要状態であると判定された場合に、位置情報を出力手段に出力させるので、自動体外式除細動器の使用が必要なタイミングで、受信機の管理者等に対して位置情報を提示でき、最適な自動体外式除細動器の設置場所を案内することが可能となる。
【０２３０】
付記１０に記載の火災報知システムによれば、受信機が、送信手段から点検到来情報を含む信号を受信した場合に、当該点検到来情報を出力手段に出力させるので、受信機の管理者等に対して点検到来情報を提示でき、受信機の管理者等が自動体外式除細動器を点検すべきことを把握することができる。よって、受信機の管理者等が、自動体外式除細動器を点検し忘れることを低減でき、自動体外式除細動器の管理を適切に行うことが可能となる。
【０２３１】
付記１１に記載の火災報知システムによれば、自動体外式除細動器が、受信機から電源線を介して供給される電力にて充電される蓄電手段を備えたので、受信機から供給された電力を蓄電手段に充電できるため、自動体外式除細動器の電池交換等を行う手間を省略することが可能となる。
【符号の説明】
【０２３２】
１  火災報知システム
２  第１配線
３  第２配線
４  第３配線
５  第４配線
６  第５配線
１０  感知器
２０  複合報知装置
２１  筐体
２２ａ  ベース部
２２ｂ  上部正面パネル部
２２ｃ  下部正面パネル部
２３ａ  第１操作口
２３ｂ  第２操作口
２３ｃ  音響孔
２３ｄ  導光孔
２３ｅ  扉部
２３ｆ  扉窓部
３０  発信機
３１ａ  非常ボタン
３１ｂ  復旧ボタン
４０  ＡＥＤ
４１  ＡＥＤ本体部
４２  操作部
４３  検知部
４４  通信部
４５  無線通信部
４６  電源部
４７  表示部
４８  撮像部
４９  制御部
５０  検知装置
５１  操作部
５１ａ  送信停止ボタン
５２  検知部
５３  通信部
５４  無線通信部
５５  制御部
５５ａ  判定部
５５ｂ  画像処理部
５５ｃ  タイミング判定部
５６  記憶部
６０  表示装置
６１  表示灯
７０  音響装置
８０  受信機
８１  操作部
８２  通信部
８２ａ  Ｌ−Ｃ入力部
８２ｂ  Ａ−Ｃ入力部
８３  移報信号送信部
８４  表示部
８５  音声出力部
８６  電力供給部
８７  制御部
８８  記憶部
９０  通報装置
９１  操作部
９２  移報信号受信部
９３  移報信号送信部
９４  制御部
９５  記憶部
１０１  火災報知システム
４０１  記憶部
【図１】
2016151970.tif 000003
【図２】
2016151970.tif 000004
【図３】
2016151970.tif 000005
【図４】
2016151970.tif 000006
【図５】
2016151970.tif 000007
【図６】
2016151970.tif 000008
【図７】
2016151970.tif 000009
【図８】
2016151970.tif 000010
【図９】
2016151970.tif 000011
【図１０】
2016151970.tif 000012
【図１１】
2016151970.tif 000013
【図１２】
2016151970.tif 000014
【図１３】
2016151970.tif 000015
【図１４】
2016151970.tif 000016